(57)【要約】【課題】  ＤＡＭＡ方式の衛星通信回線において、子局に接続されたＩＰ電話による通信を行う際に、ＩＰ電話のアドレス登録処理や発着呼処理等を行うことができる衛星通信方法、子局及び親局を得ることを目的とする。【解決手段】  子局２に接続されたＩＰ電話から発したＩｎｖｉｔｅメッセージに基づき、インバイト制御信号を生成し、ＣＳＣ回線により子局２から親局１へ送信する。親局１ではＳＩＰサーバ装置により相手ＩＰ電話のアドレス情報を検索し、検索結果に基づく応答信号を生成して子局２へＣＳＣ回線により送信する。子局２は応答メッセージを生成してＩＰ電話へ応答する。【選択図】        図１１
2008278435.tif 000002
【特許請求の範囲】
【請求項１】
衛星を経由するＣＳＣ回線により子局から回線割り当てを要求し、親局により通信回線を割り当て、上記子局と相手子局との間で衛星通信を行う回線割当型の衛星通信方法において、上記子局に接続されたＩＰ電話から上記相手子局に接続された相手ＩＰ電話を呼び出す呼出信号に基づき、上記子局から上記親局へ上記ＣＳＣ回線により送信する呼出制御信号を生成し、この呼出制御信号を受信した上記親局において上記相手ＩＰ電話のアドレス情報を検索し、上記子局へ上記ＣＳＣ回線により応答信号を送信することを特徴とする衛星通信方法。
【請求項２】
衛星を経由するＣＳＣ回線により回線割り当てを要求し、親局により通信回線を割り当てられて、相手子局との間で衛星通信を行う子局において、接続されたＩＰ電話から上記相手子局に接続された相手ＩＰ電話を呼び出す呼出信号に基づき、上記親局へ送信する呼出制御信号を生成する衛星ＧＷ装置と、上記ＣＳＣ回線により上記呼出制御信号を上記親局へ送信する衛星通信装置とを備えたことを特徴とする子局。
【請求項３】
衛星を経由するＣＳＣ回線により回線割り当てを要求し、親局により通信回線を割り当てられて、相手子局との間で衛星通信を行う子局において、接続されたＩＰ電話を含む端末装置群からの受信データから、その受信データが上記ＩＰ電話からの呼出信号であることを判別する判別手段、この判別手段により呼出信号であることを判別したときに、上記ＣＳＣ回線により送信される呼出制御信号を生成するメッセージ処理手段を有する衛星ＧＷ装置と、上記ＣＳＣ回線により上記呼出制御信号を上記親局へ送信する衛星通信装置とを備えたことを特徴とする子局。
【請求項４】
衛星を経由するＣＳＣ回線により子局から送信される回線割当要求に基づき、上記子局と相手子局との間で行う衛星通信の通信回線を割り当てる親局において、上記子局に接続されたＩＰ電話から上記相手子局に接続された相手ＩＰ電話を呼び出す呼出信号に基づき上記子局から送信される呼出制御信号を上記ＣＳＣ回線により受信する親局衛星通信装置と、この親局衛星通信装置により受信した呼出制御信号に基づき、上記相手ＩＰ電話のアドレス情報を検索する検索手段とを備え、検索結果に基づき生成する応答信号を上記子局へ上記ＣＳＣ回線により送信することを特徴とする親局。
【請求項５】
衛星を経由するＣＳＣ回線により子局から回線割り当てを要求し、親局により通信回線を割り当て、上記子局と相手子局との間で衛星通信を行う回線割当型の衛星通信方法において、上記子局に接続されたＩＰ電話から上記相手子局に接続された相手ＩＰ電話を呼び出すＳＩＰプロトコルによるインバイトメッセージに基づき、上記子局から上記親局へ上記ＣＳＣ回線により送信するインバイト制御信号を生成し、上記親局のＳＩＰサーバ装置により、上記相手ＩＰ電話のＩＰアドレスを検索し、検索結果に基づく応答信号を上記ＣＳＣ回線により上記子局へ送信することを特徴とする衛星通信方法。
【請求項６】
衛星を経由するＣＳＣ回線により回線割り当てを要求し、親局により通信回線を割り当てられて、相手子局との間で衛星通信を行う子局において、接続されたＩＰ電話を含む端末装置群からの受信データから、その受信データが上記ＩＰ電話からのＳＩＰプロトコルによるインバイトメッセージであることを判別する判別手段、この判別手段によりＳＩＰプロトコルによるインバイトメッセージであることを判別したときに、上記ＣＳＣ回線により送信するインバイト制御信号を生成するメッセージ処理手段を有する衛星ＧＷ装置と、上記ＣＳＣ回線により上記インバイト制御信号を上記親局へ送信する衛星通信装置とを備えたことを特徴とする子局。
【請求項７】
衛星を経由するＣＳＣ回線により子局から送信される回線割当要求に基づき、上記子局と相手子局との間で行う衛星通信の通信回線を割り当てる親局において、上記子局に接続されたＩＰ電話から上記相手子局に接続された相手ＩＰ電話を呼び出すＳＩＰプロトコルによるインバイトメッセージに基づき上記子局から送信されるインバイト制御信号を上記ＣＳＣ回線により受信する親局衛星通信装置と、上記相手ＩＰ電話のＩＰアドレスが登録されたロケーションサーバ、上記インバイト制御信号に基づき上記ロケーションサーバに上記相手ＩＰ電話のアドレスを問い合わせ、上記ロケーションサーバからの検索結果に基づき応答メッセージを生成するリダイレクトサーバを有するＳＩＰサーバ装置と、上記ＳＩＰサーバ装置からの応答メッセージに基づき上記子局へ上記ＣＳＣ回線により送信する応答信号を生成するメッセージ処理手段とを備えたことを特徴とする親局。
【請求項８】
衛星を経由するＣＳＣ回線により子局から回線割り当てを要求し、親局により通信回線を割り当て、上記子局と相手子局との間で衛星通信を行う回線割当型の衛星通信方法において、上記子局に接続されたＩＰ電話から上記相手子局に接続された相手ＩＰ電話を呼び出す呼出信号に基づき、上記ＣＳＣ回線及び上記通信回線とは別に設けた制御回線により上記子局から上記親局へ送信する呼出制御信号を生成し、この呼出制御信号を受信した上記親局において上記相手ＩＰ電話のアドレス情報を検索し、上記子局へ上記制御回線により応答信号を送信することを特徴とする衛星通信方法。
【請求項９】
衛星を経由するＣＳＣ回線により回線割り当てを要求し、親局により通信回線を割り当てられて、相手子局との間で衛星通信を行う子局において、接続されたＩＰ電話から上記相手子局に接続された相手ＩＰ電話を呼び出す呼出信号に基づき、上記親局へ送信する呼出制御信号を生成する衛星ＧＷ装置と、上記ＣＳＣ回線及び上記通信回線とは別に設けた制御回線により上記呼出制御信号を上記親局へ送信する衛星通信装置とを備えたことを特徴とする子局。
【請求項１０】
衛星を経由するＣＳＣ回線により子局から送信される回線割当要求に基づき、上記子局と相手子局との間で行う衛星通信の通信回線を割り当てる親局において、上記子局に接続されたＩＰ電話から上記相手子局に接続された相手ＩＰ電話を呼び出す呼出信号に基づき上記子局から送信される呼出制御信号を上記ＣＳＣ回線及び上記通信回線とは別に設けた制御回線により受信する親局衛星通信装置と、この親局衛星通信装置により受信した呼出制御信号に基づき、上記相手ＩＰ電話のアドレス情報を検索する検索手段とを備え、検索結果に基づき生成する応答信号を上記子局へ上記制御回線により送信することを特徴とする親局。
【請求項１１】
衛星を経由する第１のＣＳＣ回線により子局から回線割り当てを要求し、親局により通信回線を割り当てて上記子局と相手子局との間で衛星通信を行い、上記子局を含む子局グループに設けた管理局から衛星を経由する第２のＣＳＣ回線により信号を送信して上記子局グループに含まれる子局を管理する衛星通信方法において、上記子局に接続されたＩＰ電話から上記相手子局に接続された相手ＩＰ電話を呼び出す呼出信号に基づき、上記子局から上記管理局へ上記第２のＣＳＣ回線により送信する呼出制御信号を生成し、この呼出制御信号を受信した上記管理局において上記相手ＩＰ電話のアドレス情報を検索し、上記子局へ上記第２のＣＳＣ回線により応答信号を送信することを特徴とする衛星通信方法。
【請求項１２】
衛星を経由する第１のＣＳＣ回線により回線割り当てを要求し、親局により通信回線を割り当てられて相手子局との間で衛星通信を行い、自局を含む子局グループに設けられ、上記子局グループに含まれる子局を管理する管理局からの信号を、衛星を経由する第２のＣＳＣ回線により受信する子局において、接続されたＩＰ電話から上記相手子局に接続された相手ＩＰ電話を呼び出す呼出信号に基づき、上記管理局へ送信する呼出制御信号を生成する衛星ＧＷ装置と、上記第２のＣＳＣ回線により上記呼出制御信号を上記制御局へ送信する衛星通信装置とを備えたことを特徴とする子局。
【請求項１３】
衛星を経由する第１のＣＳＣ回線により回線割り当てを要求し、親局により通信回線を割り当てられて相手子局との間で衛星通信を行い、自局を含む子局グループに設けられ、上記子局グループに含まれる子局を管理する管理局からの信号を、衛星を経由する第２のＣＳＣ回線により受信する子局において、接続されたＩＰ電話を含む端末装置群からの受信データから、その受信データが上記ＩＰ電話からの呼出信号であることを判別する判別手段、この判別手段により呼出信号であることを判別したときに、上記第２のＣＳＣ回線により送信される呼出制御信号を生成するメッセージ処理手段を有する衛星ＧＷ装置と、上記第２のＣＳＣ回線により上記呼出制御信号を上記管理局へ送信する衛星通信装置とを備えたことを特徴とする子局。
【請求項１４】
衛星を経由する第１のＣＳＣ回線により子局から回線割り当てを要求し、親局により通信回線を割り当てて上記子局と相手子局との間で衛星通信が行われ、衛星を経由する第２のＣＳＣ回線により信号を送信して上記子局を含む子局グループに含まれる子局を管理する管理局において、上記子局に接続されたＩＰ電話から上記相手子局に接続された相手ＩＰ電話を呼び出す呼出信号に基づき上記子局から送信される呼出制御信号を上記第２のＣＳＣ回線により受信する管理局衛星通信装置と、この管理局衛星通信装置により受信した呼出制御信号に基づき、上記相手ＩＰ電話のアドレス情報を検索する検索手段とを備え、検索結果に基づき生成する応答信号を上記子局へ上記第２のＣＳＣ回線により送信することを特徴とする管理局。
【請求項１５】
衛星を経由する第１のＣＳＣ回線により子局から回線割り当てを要求し、親局により通信回線を割り当てて上記子局と相手子局との間で衛星通信を行い、上記子局を含む子局グループに設けた管理局から衛星を経由する第２のＣＳＣ回線により信号を送信して上記子局グループに含まれる子局を管理する衛星通信方法において、上記子局に接続されたＩＰ電話から上記相手子局に接続された相手ＩＰ電話を呼び出すＳＩＰプロトコルによるインバイトメッセージに基づき、上記子局から上記管理局へ上記第２のＣＳＣ回線により送信するインバイト制御信号を生成し、上記管理局のＳＩＰサーバ装置により、上記相手ＩＰ電話のＩＰアドレスを検索し、検索結果に基づく応答信号を上記第２のＣＳＣ回線により上記子局へ送信することを特徴とする衛星通信方法。
【請求項１６】
衛星を経由する第１のＣＳＣ回線により回線割り当てを要求し、親局により通信回線を割り当てられて相手子局との間で衛星通信を行い、自局を含む子局グループに設けられ、上記子局グループに含まれる子局を管理する管理局からの信号を、衛星を経由する第２のＣＳＣ回線により受信する子局において、接続されたＩＰ電話を含む端末装置群からの受信データから、その受信データが上記ＩＰ電話からのＳＩＰプロトコルによるインバイトメッセージであることを判別する判別手段、この判別手段によりＳＩＰプロトコルによるインバイトメッセージであることを判別したときに、上記第２のＣＳＣ回線により送信するインバイト制御信号を生成するメッセージ処理手段を有する衛星ＧＷ装置と、上記第２のＣＳＣ回線により上記インバイト制御信号を上記管理局へ送信する衛星通信装置とを備えたことを特徴とする子局。
【請求項１７】
衛星を経由する第１のＣＳＣ回線により子局から回線割り当てを要求し、親局により通信回線を割り当てて上記子局と相手子局との間で衛星通信が行われ、衛星を経由する第２のＣＳＣ回線により管理信号を送信して上記子局を含む子局グループに含まれる子局を管理する管理局において、上記子局に接続されたＩＰ電話から上記相手子局に接続された相手ＩＰ電話を呼び出すＳＩＰプロトコルによるインバイトメッセージに基づき上記子局から送信されるインバイト制御信号を上記第２のＣＳＣ回線により受信する管理局衛星通信装置と、上記相手ＩＰ電話のＩＰアドレスが登録されたロケーションサーバ、上記インバイト制御信号に基づき上記ロケーションサーバに上記相手ＩＰ電話のアドレスを問い合わせ、上記ロケーションサーバからの検索結果に基づき応答メッセージを生成するリダイレクトサーバを有するＳＩＰサーバ装置と、上記ＳＩＰサーバ装置からの応答メッセージに基づき上記子局へ上記第２のＣＳＣ回線により送信する応答信号を生成するメッセージ処理手段とを備えたことを特徴とする管理局。
【発明の詳細な説明】
【技術分野】
【０００１】
この発明は、衛星を介した要求割当多元接続方式の衛星通信により、子局に接続されたＩＰ電話を含む端末装置の音声及びデータ通信を行う衛星通信方法、子局、親局及び管理局に関するものである。
【背景技術】
【０００２】
昨今のインターネット通信の発達により、インターネットによるデータ通信が盛んに行われるに至り、さらにインターネットを介した音声通信もＩＰ電話システムの構築技術に支えられて普及しつつある。このＩＰ電話によるインターネットを介した音声通信は、その音声通信が備えるべき同時性のため、他のデータ通信とは異なり、その音声通信の開始・変更・終了の各シグナリングプロセスに適するプロトコルが必要である。その代表的なプロトコルとして、ＲＦＣ３２６１規格及びそれに関連する規格に規定されるＳＩＰ（Ｓｅｓｓｉｏｎ  Ｉｎｉｔｉａｔｉｏｎ  Ｐｒｏｔｏｃｏｌ）があり、このアプリケーション層でのプロトコルにより、ＩＰ電話等の種々のサービスが提供される。一方、衛星通信分野においては、古くは１対１の衛星通信装置間での固定方式の通信から、要求割当多元接続方式（以下「ＤＡＭＡ方式」と呼ぶ。ＤＡＭＡはＤｅｍａｎｄ  Ａｓｓｉｇｎｍｅｎｔ  Ｍｕｌｔｉｐｌｅ  Ａｃｃｅｓｓの略である。）の通信、さらにはイリジウム計画等のＣＤＭＡ或いはＦＤＭＡ方式を用いた衛星携帯電話による通信が案出されるに至っている。衛星通信は、広域性かつ公共性の観点から、また遠隔無線通信の特殊性に基づく通信の確立性の追求により、地上における有線通信とは異なる技術発展の経緯を有するものであった。
【０００３】
衛星通信におけるＤＡＭＡ方式は、衛星通信回線を複数の子局により有効に利用するための方式であり、適宜、子局間または子局／親局間での通信に使用する通信回線を割り当てるために、通信回線とは異なる制御回線（「ＣＳＣ回線」と呼ばれる。）上で、子局から通信回線の割り当て要求を発し、この回線割当要求を親局にて受信し、親局によって通信回線を割り当てるものである。特開平１０−５１３７０号公報には、ＤＡＭＡ方式の衛星通信システムにおいて、子局に電話端末が接続されて子局間での電話による音声通信を行う場合に、親局に電話端末の固有番号の少なくとも一部、例えば、０３（東京）や０６（大阪）という部分と、中継する子局群の番号とを対応させた子局データファイルを設けた従来の技術が開示されている。この従来の技術によれば、１の子局に接続された電話端末から相手電話端末の固有番号をダイヤルしたときに、親局にて、その相手電話端末の固有番号の少なくとも一部により子局データファイルから対応する相手子局を選択し、当該１の子局と相手子局との間に衛星通信回線を割り当てることにより、当該１の子局からの発呼の際に相手子局を指定する必要がなく、操作性が向上される。
【０００４】
【特許文献１】特開平１０−５１３７０号公報
【発明の開示】
【発明が解決しようとする課題】
【０００５】
上述のように、例えばＳＩＰプロトコルは、アプリケーション層でのシグナリングプロセスを提供するものであり、各ＩＰ電話のアドレス登録処理や、セッションの確立に関わる処理が通信回線で種々生起される。ＤＡＭＡ方式の衛星通信において、ＩＰ電話を子局に接続して、子局間での衛星を介した音声通信を行う際に、このような各種処理のために通信回線が頻繁に使用されることとなり、通信回線の音声及びデータ通信の利用効率が低下するという問題点がある。また、ＩＰ電話による音声通信を行うためには、プロトコル制御のためのサーバ装置（ＳＩＰにおいては、一般にＳＩＰサーバと呼ばれるサーバ装置）が必要となり、このサーバ装置の配置とその配置によって生じる各サーバ間での通信やサーバへ入出力する処理パケットの錯綜が、衛星を介した通信回線の利用効率を低下させないよう検討しておかなければならないという課題があった。
【０００６】
この発明は、上記のような問題点または課題を解決するためになされたもので、ＤＡＭＡ方式の衛星通信回線において、子局に接続されたＩＰ電話による通信を行う際に、ＩＰ電話のアドレス登録処理や発着呼処理等を行うことができる衛星通信方法、子局、親局及び管理局を得ることを目的とする。
【課題を解決するための手段】
【０００７】
請求項１の発明に係る衛星通信方法は、衛星を経由するＣＳＣ回線により子局から回線割り当てを要求し、親局により通信回線を割り当て、上記子局と相手子局との間で衛星通信を行う回線割当型の衛星通信方法において、上記子局に接続されたＩＰ電話から上記相手子局に接続された相手ＩＰ電話を呼び出す呼出信号に基づき、上記子局から上記親局へ上記ＣＳＣ回線により送信する呼出制御信号を生成し、この呼出制御信号を受信した上記親局において上記相手ＩＰ電話のアドレス情報を検索し、上記子局へ上記ＣＳＣ回線により応答信号を送信するものである。
【０００８】
請求項２の発明に係る子局は、衛星を経由するＣＳＣ回線により回線割り当てを要求し、親局により通信回線を割り当てられて、相手子局との間で衛星通信を行う子局において、接続されたＩＰ電話から上記相手子局に接続された相手ＩＰ電話を呼び出す呼出信号に基づき、上記親局へ送信する呼出制御信号を生成する衛星ＧＷ装置と、上記ＣＳＣ回線により上記呼出制御信号を上記親局へ送信する衛星通信装置とを備えたものである。
【０００９】
請求項３の発明に係る子局は、衛星を経由するＣＳＣ回線により回線割り当てを要求し、親局により通信回線を割り当てられて、相手子局との間で衛星通信を行う子局において、接続されたＩＰ電話を含む端末装置群からの受信データから、その受信データが上記ＩＰ電話からの呼出信号であることを判別する判別手段、この判別手段により呼出信号であることを判別したときに、上記ＣＳＣ回線により送信される呼出制御信号を生成するメッセージ処理手段を有する衛星ＧＷ装置と、上記ＣＳＣ回線により上記呼出制御信号を上記親局へ送信する衛星通信装置とを備えたこものである。
【００１０】
請求項４の発明に係る親局は、衛星を経由するＣＳＣ回線により子局から送信される回線割当要求に基づき、上記子局と相手子局との間で行う衛星通信の通信回線を割り当てる親局において、上記子局に接続されたＩＰ電話から上記相手子局に接続された相手ＩＰ電話を呼び出す呼出信号に基づき上記子局から送信される呼出制御信号を上記ＣＳＣ回線により受信する親局衛星通信装置と、この親局衛星通信装置により受信した呼出制御信号に基づき、上記相手ＩＰ電話のアドレス情報を検索する検索手段とを備え、検索結果に基づき生成する応答信号を上記子局へ上記ＣＳＣ回線により送信するものである。
【００１１】
請求項５の発明に係る衛星通信方法は、衛星を経由するＣＳＣ回線により子局から回線割り当てを要求し、親局により通信回線を割り当て、上記子局と相手子局との間で衛星通信を行う回線割当型の衛星通信方法において、上記子局に接続されたＩＰ電話から上記相手子局に接続された相手ＩＰ電話を呼び出すＳＩＰプロトコルによるインバイトメッセージに基づき、上記子局から上記親局へ上記ＣＳＣ回線により送信するインバイト制御信号を生成し、上記親局のＳＩＰサーバ装置により、上記相手ＩＰ電話のＩＰアドレスを検索し、検索結果に基づく応答信号を上記ＣＳＣ回線により上記子局へ送信するものである。
【００１２】
請求項６の発明に係る子局は、衛星を経由するＣＳＣ回線により回線割り当てを要求し、親局により通信回線を割り当てられて、相手子局との間で衛星通信を行う子局において、接続されたＩＰ電話を含む端末装置群からの受信データから、その受信データが上記ＩＰ電話からのＳＩＰプロトコルによるインバイトメッセージであることを判別する判別手段、この判別手段によりＳＩＰプロトコルによるインバイトメッセージであることを判別したときに、上記ＣＳＣ回線により送信するインバイト制御信号を生成するメッセージ処理手段を有する衛星ＧＷ装置と、上記ＣＳＣ回線により上記インバイト制御信号を上記親局へ送信する衛星通信装置とを備えたものである。
【００１３】
請求項７の発明に係る親局は、衛星を経由するＣＳＣ回線により子局から送信される回線割当要求に基づき、上記子局と相手子局との間で行う衛星通信の通信回線を割り当てる親局において、上記子局に接続されたＩＰ電話から上記相手子局に接続された相手ＩＰ電話を呼び出すＳＩＰプロトコルによるインバイトメッセージに基づき上記子局から送信されるインバイト制御信号を上記ＣＳＣ回線により受信する親局衛星通信装置と、上記相手ＩＰ電話のＩＰアドレスが登録されたロケーションサーバ、上記インバイト制御信号に基づき上記ロケーションサーバに上記相手ＩＰ電話のアドレスを問い合わせ、上記ロケーションサーバからの検索結果に基づき応答メッセージを生成するリダイレクトサーバを有するＳＩＰサーバ装置と、上記ＳＩＰサーバ装置からの応答メッセージに基づき上記子局へ上記ＣＳＣ回線により送信する応答信号を生成するメッセージ処理手段とを備えたものである。
【００１４】
請求項８の発明に係る衛星通信方法は、衛星を経由するＣＳＣ回線により子局から回線割り当てを要求し、親局により通信回線を割り当て、上記子局と相手子局との間で衛星通信を行う回線割当型の衛星通信方法において、上記子局に接続されたＩＰ電話から上記相手子局に接続された相手ＩＰ電話を呼び出す呼出信号に基づき、上記ＣＳＣ回線及び上記通信回線とは別に設けた制御回線により上記子局から上記親局へ送信する呼出制御信号を生成し、この呼出制御信号を受信した上記親局において上記相手ＩＰ電話のアドレス情報を検索し、上記子局へ上記制御回線により応答信号を送信するものである。
【００１５】
請求項９の発明に係る子局は、衛星を経由するＣＳＣ回線により回線割り当てを要求し、親局により通信回線を割り当てられて、相手子局との間で衛星通信を行う子局において、接続されたＩＰ電話から上記相手子局に接続された相手ＩＰ電話を呼び出す呼出信号に基づき、上記親局へ送信する呼出制御信号を生成する衛星ＧＷ装置と、上記ＣＳＣ回線及び上記通信回線とは別に設けた制御回線により上記呼出制御信号を上記親局へ送信する衛星通信装置とを備えたものである。
【００１６】
請求項１０の発明に係る親局は、衛星を経由するＣＳＣ回線により子局から送信される回線割当要求に基づき、上記子局と相手子局との間で行う衛星通信の通信回線を割り当てる親局において、上記子局に接続されたＩＰ電話から上記相手子局に接続された相手ＩＰ電話を呼び出す呼出信号に基づき上記子局から送信される呼出制御信号を上記ＣＳＣ回線及び上記通信回線とは別に設けた制御回線により受信する親局衛星通信装置と、この親局衛星通信装置により受信した呼出制御信号に基づき、上記相手ＩＰ電話のアドレス情報を検索する検索手段とを備え、検索結果に基づき生成する応答信号を上記子局へ上記制御回線により送信するものである。
【００１７】
請求項１１の発明に係る衛星通信方法は、衛星を経由する第１のＣＳＣ回線により子局から回線割り当てを要求し、親局により通信回線を割り当てて上記子局と相手子局との間で衛星通信を行い、上記子局を含む子局グループに設けた管理局から衛星を経由する第２のＣＳＣ回線により信号を送信して上記子局グループに含まれる子局を管理する衛星通信方法において、上記子局に接続されたＩＰ電話から上記相手子局に接続された相手ＩＰ電話を呼び出す呼出信号に基づき、上記子局から上記管理局へ上記第２のＣＳＣ回線により送信する呼出制御信号を生成し、この呼出制御信号を受信した上記管理局において上記相手ＩＰ電話のアドレス情報を検索し、上記子局へ上記第２のＣＳＣ回線により応答信号を送信するものである。
【００１８】
請求項１２の発明に係る子局は、衛星を経由する第１のＣＳＣ回線により回線割り当てを要求し、親局により通信回線を割り当てられて相手子局との間で衛星通信を行い、自局を含む子局グループに設けられ、上記子局グループに含まれる子局を管理する管理局からの信号を、衛星を経由する第２のＣＳＣ回線により受信する子局において、接続されたＩＰ電話から上記相手子局に接続された相手ＩＰ電話を呼び出す呼出信号に基づき、上記管理局へ送信する呼出制御信号を生成する衛星ＧＷ装置と、上記第２のＣＳＣ回線により上記呼出制御信号を上記制御局へ送信する衛星通信装置とを備えたものである。
【００１９】
請求項１３の発明に係る子局は、衛星を経由する第１のＣＳＣ回線により回線割り当てを要求し、親局により通信回線を割り当てられて相手子局との間で衛星通信を行い、自局を含む子局グループに設けられ、上記子局グループに含まれる子局を管理する管理局からの信号を、衛星を経由する第２のＣＳＣ回線により受信する子局において、接続されたＩＰ電話を含む端末装置群からの受信データから、その受信データが上記ＩＰ電話からの呼出信号であることを判別する判別手段、この判別手段により呼出信号であることを判別したときに、上記第２のＣＳＣ回線により送信される呼出制御信号を生成するメッセージ処理手段を有する衛星ＧＷ装置と、上記第２のＣＳＣ回線により上記呼出制御信号を上記管理局へ送信する衛星通信装置とを備えたものである。
【００２０】
請求項１４の発明に係る管理局は、衛星を経由する第１のＣＳＣ回線により子局から回線割り当てを要求し、親局により通信回線を割り当てて上記子局と相手子局との間で衛星通信が行われ、衛星を経由する第２のＣＳＣ回線により信号を送信して上記子局を含む子局グループに含まれる子局を管理する管理局において、上記子局に接続されたＩＰ電話から上記相手子局に接続された相手ＩＰ電話を呼び出す呼出信号に基づき上記子局から送信される呼出制御信号を上記第２のＣＳＣ回線により受信する管理局衛星通信装置と、この管理局衛星通信装置により受信した呼出制御信号に基づき、上記相手ＩＰ電話のアドレス情報を検索する検索手段とを備え、検索結果に基づき生成する応答信号を上記子局へ上記第２のＣＳＣ回線により送信するものである。
【００２１】
請求項１５の発明に係る衛星通信方法は、衛星を経由する第１のＣＳＣ回線により子局から回線割り当てを要求し、親局により通信回線を割り当てて上記子局と相手子局との間で衛星通信を行い、上記子局を含む子局グループに設けた管理局から衛星を経由する第２のＣＳＣ回線により信号を送信して上記子局グループに含まれる子局を管理する衛星通信方法において、上記子局に接続されたＩＰ電話から上記相手子局に接続された相手ＩＰ電話を呼び出すＳＩＰプロトコルによるインバイトメッセージに基づき、上記子局から上記管理局へ上記第２のＣＳＣ回線により送信するインバイト制御信号を生成し、上記管理局のＳＩＰサーバ装置により、上記相手ＩＰ電話のＩＰアドレスを検索し、検索結果に基づく応答信号を上記第２のＣＳＣ回線により上記子局へ送信するものである。
【００２２】
請求項１６の発明に係る子局は、衛星を経由する第１のＣＳＣ回線により回線割り当てを要求し、親局により通信回線を割り当てられて相手子局との間で衛星通信を行い、自局を含む子局グループに設けられ、上記子局グループに含まれる子局を管理する管理局からの信号を、衛星を経由する第２のＣＳＣ回線により受信する子局において、接続されたＩＰ電話を含む端末装置群からの受信データから、その受信データが上記ＩＰ電話からのＳＩＰプロトコルによるインバイトメッセージであることを判別する判別手段、この判別手段によりＳＩＰプロトコルによるインバイトメッセージであることを判別したときに、上記第２のＣＳＣ回線により送信するインバイト制御信号を生成するメッセージ処理手段を有する衛星ＧＷ装置と、上記第２のＣＳＣ回線により上記インバイト制御信号を上記管理局へ送信する衛星通信装置とを備えたものである。
【００２３】
請求項１７の発明に係る管理局は、衛星を経由する第１のＣＳＣ回線により子局から回線割り当てを要求し、親局により通信回線を割り当てて上記子局と相手子局との間で衛星通信が行われ、衛星を経由する第２のＣＳＣ回線により管理信号を送信して上記子局を含む子局グループに含まれる子局を管理する管理局において、上記子局に接続されたＩＰ電話から上記相手子局に接続された相手ＩＰ電話を呼び出すＳＩＰプロトコルによるインバイトメッセージに基づき上記子局から送信されるインバイト制御信号を上記第２のＣＳＣ回線により受信する管理局衛星通信装置と、上記相手ＩＰ電話のＩＰアドレスが登録されたロケーションサーバ、上記インバイト制御信号に基づき上記ロケーションサーバに上記相手ＩＰ電話のアドレスを問い合わせ、上記ロケーションサーバからの検索結果に基づき応答メッセージを生成するリダイレクトサーバを有するＳＩＰサーバ装置と、上記ＳＩＰサーバ装置からの応答メッセージに基づき上記子局へ上記第２のＣＳＣ回線により送信する応答信号を生成するメッセージ処理手段とを備えたものである。
【発明の効果】
【００２４】
請求項１乃至請求項４に記載の発明によれば、子局に接続されたＩＰ電話からの呼出信号に基づき、子局はＣＳＣ回線により呼出制御信号を送信し、親局はＣＳＣ回線により呼出制御信号を受信して、相手ＩＰ電話のアドレス情報を検索し、ＣＳＣ回線により応答信号を子局へ送信するので、通信回線を割り当てることなく、音声通信開始時のＩＰ電話の呼出信号に対する処理を行うことができる。
【００２５】
請求項５乃至請求項７に記載の発明によれば、子局に接続されたＩＰ電話からのＳＩＰプロトコルによるインバイトメッセージに基づき、子局はＣＳＣ回線により相手ＩＰ電話のインバイト制御信号を送信し、親局はＣＳＣ回線によりインバイト制御信号を受信し、ＳＩＰサーバ装置により相手ＩＰ電話のＩＰアドレスを検索し、検索結果に基づく応答信号をＣＳＣ回線により子局へ送信するので、通信回線を割り当てることなく、ＳＩＰプロトコル制御に従うＩＰ電話について、音声通信開始時のＩＰ電話のインバイトメッセージに対する処理を行うことができる。
【００２６】
請求項８乃至請求項１０に記載の発明によれば、子局に接続されたＩＰ電話からの呼出信号に基づき、子局はＣＳＣ回線及び通信回線とは別に設けた制御回線により呼出制御信号を送信し、親局は当該制御回線により呼出制御信号を受信して、相手ＩＰ電話のアドレス情報を検索し、当該制御回線により応答信号を子局へ送信するので、ＣＳＣ回線でのＤＡＭＡ回線制御機能の低下や通信回線での通信効率の低下を防止することができる。
【００２７】
請求項１１乃至請求項１４に記載の発明によれば、子局に接続されたＩＰ電話からの呼出信号に基づき、子局は第２のＣＳＣ回線により呼出制御信号を送信し、管理局は第２のＣＳＣ回線により呼出制御信号を受信して相手ＩＰ電話のアドレス情報を検索し、第２のＣＳＣ回線により応答信号を子局へ送信するので、通信回線を割り当てることなく、音声通信開始時のＩＰ電話の呼出信号に対する処理を行うことができる。
【００２８】
請求項１５乃至請求項１７に記載の発明によれば、子局に接続されたＩＰ電話からのＳＩＰプロトコルによるインバイトメッセージに基づき、子局は第２のＣＳＣ回線により相手ＩＰ電話のインバイト制御信号を送信し、管理局は第２のＣＳＣ回線によりインバイト制御信号を受信し、ＳＩＰサーバ装置により相手ＩＰ電話のＩＰアドレスを検索し、検索結果に基づく応答信号を第２のＣＳＣ回線により子局へ送信するので、てＩＰ電話のアドレス情報をロケーションサーバに登録するので、通信回線を割り当てることなく、ＳＩＰプロトコル制御に従うＩＰ電話について、音声通信開始時のＩＰ電話のインバイトメッセージに対する処理を行うことができる。
【発明を実施するための最良の形態】
【００２９】
実施の形態１
【００３０】
この発明の実施の形態１に係る衛星通信方法、子局及び親局を図１乃至図１１を用いて説明する。図１はこの発明の実施の形態１に係る衛星通信システムの構成を表す構成図である。図１において、１は親局、２は子局、３は通信衛星であり、４は子局２から親局１へ通信衛星３を介して制御信号を送信する上りＣＳＣ回線であり、５は親局１から子局２へ通信衛星３を介して制御信号を送信する下りＣＳＣ回線である。この上りＣＳＣ回線４により、子局２から通信回線の割り当てを要求する回線割当要求信号を親局１へ送信し、親局１において子局間の通信回線６を割り当てる。割り当てられた通信回線６の回線情報は、下りＣＳＣ回線５により回線割当応答信号として親局１から子局２および通信相手となる他の子局２へ送信される。この回線割当応答信号を受信した子局２と相手子局２との間で通信衛星３を介した通信回線６により通信が行われる。この通信回線６は親局１と子局２との間の通信においても回線割り当てされるものである。図２は、使用する回線の周波数軸上での配置を表す模式図である。図２に示すように、使用する回線は、上りＣＳＣ回線４、下りＣＳＣ回線５及び複数の通信回線６であり、上りＣＳＣ回線４及び下りＣＳＣ回線５は固定的に割り当てており、複数の通信回線６は、衛星通信システムに割り当てられた周波数帯域において、上述のように子局２からの要求に基づき親局１によって適宜割り当てられるものである。上りＣＳＣ回線４及び下りＣＳＣ回線５は元々ＤＡＭＡ方式を成立させる制御用の回線であり、この回線において後述するＩＰ電話による音声通信のための各種処理信号を送受信すると回線が混雑し、本来のＤＡＭＡ制御が十分に機能しなくなることも予測し得る。その場合には、ＩＰ電話による音声通信のための各種処理信号は、上りＣＳＣ回線４及び下りＣＳＣ回線５の代わりに、ＣＳＣ回線及び通信回線とは別に、子局１および親局２間に上り及び下り制御回線（図２には図示しない。）を設け、この制御回線において送受信するようにしてもよい。
【００３１】
次に親局１及び子局２の構成について説明する。図３はこの発明の実施の形態１に係る子局及び親局の構成を表す構成図である。図３に示す親局１において、７は通信衛星３との間で無線波の送受信、変復調及び信号処理を行う親局衛星通信装置、８はＤＡＭＡ回線制御及びＳＩＰ処理を行う回線制御装置、９はＳＩＰサーバ装置である。親局衛星通信装置７において、１０は通信衛星３との間で電波の送受信を行う送受信機であり、信号の周波数変換や増幅等を行う。１１は送受信する制御信号を変復調するＣＳＣ回線変復調部であり、ＰＳＫ（位相シフト変復調）等の各種変復調方式に基づき、制御信号を変復調する。１２は送信信号のフレーム処理及び誤り訂正符号処理、受信信号の誤り訂正処理及びフレーム処理を行う信号処理部である。回線制御装置８において、１３はＤＡＭＡ方式の回線制御を行うＤＡＭＡ回線制御部であり、上りＣＳＣ回線４により子局２から受信する制御信号による制御処理、及び下りＣＳＣ回線５により子局２へ送信する制御信号の生成を行う。１４は子局２からの制御信号がＳＩＰメッセージである場合に、ＳＩＰメッセージに基づく処理を行うＳＩＰメッセージ処理部である。ＳＩＰサーバ装置９において、１５は子局２からのＲｅｇｉｓｔｅｒ（レジスター：登録）メッセージを受け付けるレジストラサーバ、１６はレジストラサーバ１５からの登録情報を記録するロケーションサーバ、１７は子局２からのＩｎｖｉｔｅメッセージに対し、ロケーションサーバ１６に着信側情報を問い合わせ、着信側情報を発信側に知らせるメッセージを生成するリダイレクトサーバである。
【００３２】
図３に示す子局２および接続される装置の構成について説明する。１８はＩＰ端末、１９はＩＰ電話であり、ＩＰ端末１８は他の子局２に接続されるＩＰ端末１８との間で主としてデータ通信を行うための装置であり、ＩＰ電話１９は他の子局２に接続されるＩＰ電話１９との間で主として音声通信を行う装置である。このＩＰ端末１８とＩＰ電話１９はインターネットプロトコルに従うパケット通信が行える装置であり、ＩＰ端末１８には音声通信機能を持たせることも可能であり、そのようなＩＰ端末１８の音声通信機能は本発明にいうＩＰ電話に含まれるものとする。また、子局２はインタフェース装置２０（以下、Ｉ／Ｆ２０と記載する。）を介して、外部の他ネットワーク２２とも接続され、この接続には、一般にプロキシサーバ２１を経由する。図３に示す子局２において、２３は通信衛星３との間で無線波の送受信、変復調及び信号処理を行う衛星通信装置、２４はＩＰ端末１８やＩＰ電話１９による通信を子局２の衛星通信装置２３を介して行うために、データや音声データの伝送処理を行う衛星ゲートウェイ装置（以下、衛星ＧＷ装置と記載する。）である。衛星通信装置２３において、２５は通信衛星３との間で電波の送受信を行う送受信機であり、信号の周波数変換や増幅等を行う。２６は送受信する制御信号を変復調するＣＳＣ回線変復調部であり、ＰＳＫ（位相シフト変復調）等の各種変復調方式に基づき、制御信号を変復調する。２７は送受信する通信信号を変復調する通信回線変復調部であり、ＰＳＫ（位相シフト変復調）等の各種変復調方式に基づき、通信信号を変復調する。２８は送信信号のフレーム処理及び誤り訂正符号処理、受信信号の誤り訂正処理及びフレーム処理を行う信号処理部である。２９はＣＳＣ回線変復調部２６により受信した回線割当応答信号に基づき通信回線変復調部２７の送受信周波数や帯域の制御を行う制御部である。衛星ＧＷ装置２４において、３０はＩＰ端末１８やＩＰ電話１９による通信における伝送データの識別を行い、衛星通信装置２３と、ＩＰ端末１８及びＩＰ電話１９との間で伝送データの受け渡しを行う伝送制御部であり、３１は伝送されるデータがＳＩＰプロトコルによるメッセージである場合に、そのメッセージ処理を行うＳＩＰ処理部である。３２はＳＩＰ処理部３１にて処理するＳＩＰメッセージに含まれるＩＰ電話１９の識別情報を記憶する識別情報記憶部である。
【００３３】
図３に示す構成は、ＩＰ電話の処理がＳＩＰプロトコルにより行われる例について示すものであるが、同種のＩＰ電話用通信処理を行うプロトコルに代替することができ、例えば、図３に示す、ＳＩＰサーバ装置９は、その代替されるプロトコルの実行に用いられるサーバ装置でよく、また親局１内のＳＩＰメッセージ処理部１４及び子局２内のＳＩＰ処理部３１はそれぞれ、代替されるプロトコルにおいて、ＳＩＰメッセージ処理部１４及びＳＩＰ処理部３１と同様な処理を行うものとすればよい。
【００３４】
図３に図示しないが、親局１の親局衛星通信装置７内には、子局２の衛星通信装置２３内の通信回線変復調部２７に相当する回路部が、親局１内には、子局２の衛星ＧＷ装置２４に相当する装置があり、親局１に接続されるＩＰ端末やＩＰ電話、またインタフェースを介した他のネットワークの装置が親局１を利用して、通信衛星を介した通信回線６により、複数の子局に接続されたＩＰ端末等との間で通信が行えるものである。この親局１において、ＩＰ端末等に提供される機能を果たす回路及び装置は、子局１に該当するものであると考えればよい。
【００３５】
この親局１及び子局２の動作について、まず子局に接続されたＩＰ端末１８間での通信衛星３を介したデータ通信を行う場合の動作を説明する。伝送制御部３０は複数のＩＰ端末１８からなる端末装置群からの伝送データをバッファリングしながら信号処理部２８へ伝送しており、伝送制御部３０と信号処理部２８へ伝送できる伝送データ量は、衛星通信装置２３に割り当てられた通信回線の帯域幅に依存する。子局２は相手子局２とのデータ通信が必要になると、親局１に対して回線割当要求信号を上りＣＳＣ回線４により送信する。この回線割当要求信号は相手子局を特定する情報を含むものであり、伝送制御部３０にて生成され、信号処理部２８で信号処理されてＣＳＣ回線変復調部２６により変調され、送受信機２５により送信される。親局１は上りＣＳＣ回線４をモニタしており、回線割当要求信号を受信復調し、信号処理して再生する。親局２の信号処理部１２により再生されたＤＡＭＡ回線制御部１３に入力され、ＤＡＭＡ回線制御部１３はシステム専用帯域（通信システムに与えられる使用できる周波数帯域のこと）中の空き領域を検索し、空き領域に通信回線を割り当て、その中心周波数と帯域幅の情報、及び当該回線割当要求をした子局２と相手子局２とを特定する情報を含む回線割当応答信号を生成し、信号処理部１２へ出力する。回線割当応答信号は、信号処理部１２により信号処理され、ＣＳＣ回線変復調部１１により変調され、送受信機１０から下りＣＳＣ回線５により送信される。子局２と相手子局２は、下りＣＳＣ回線５をモニタしており、回線割当応答信号を受信すると、これを復調し再生して割り当てられた中心周波数と帯域幅に通信回線変復調部２９を設定して子局間での通信を行う。ここで割り当てられる通信回線は子局２から相手子局２への送信回線、相手子局２から子局２への送信回線である。子局２間での通信が終了すると、子局２の伝送制御部２０にて通信終了信号が生成されて、上りＣＳＣ回線４により親局２へ送信され、親局２は割り当てていた通信回線を開放し、システム専用帯域中の空き領域とする。子局２間での通信は１対のＩＰ端末１８間で行われる場合だけでなく、当該子局２間で複数対のＩＰ端末１８間で行われる場合もあり、ＩＰ端末１８の対の増減によりデータ伝送量が増減する。データ伝送量が増減した場合には、子局２の伝送制御部３０により帯域変更要求信号を生成して上りＣＳＣ回線４により送信し、親局２にて帯域変更要求信号を受信して、ＤＡＭＡ回線制御部１３にて通信回線の再割り当てを行うようにしてもよい。親局２のＤＡＭＡ回線制御部１３は回線再割当応答信号を生成して下りＣＳＣ回線５により送信し、これを受信した子局２及び相手子局２は通信周波数帯域を変更する。このような通信回線の再割り当てによって、システム専用帯域の柔軟な運用が行えるものである。なお、親局１が子局２との間で通信を開始する場合の回線割当は、直接親局１のＤＡＭＡ回線制御部１３で行い、回線割当応答信号を相手子局２へ下りＣＳＣ回線５により送信すればよい。
【００３６】
次に、この親局１及び子局２の動作について、子局に接続されたＩＰ電話１９間での通信衛星３を介した音声通信を行う場合の動作を説明する。音声通信を行うためのプロトコルがＳＩＰである場合を例にとって説明するが、他のＩＰ電話通信用のプロトコルについても同様な動作となる。図４はＩＰ電話１９の登録処理を表す処理シーケンス図である。ＩＰ電話１９が音声通信を行うためには、ＩＰ電話１９からの登録信号に対する処理を行う必要があり、以下ではＳＩＰプロトコルによるＲｅｇｉｓｔｅｒメッセージがＩＰ電話１９から発せられた場合の処理を例にとり説明する。まず、ＩＰ電話１９を子局２に接続したときに静的若しくは動的に割り当てられるＩＰアドレスを親局１のＳＩＰサーバ装置９に登録する必要がある。図４において、ステップＳ１により、ＩＰ電話１９は接続された状態で、登録信号であるＳＩＰメッセージのＲｅｇｉｓｔｅｒメッセージを送信する。このＲｅｇｉｓｔｅｒメッセージには、ＩＰ電話１９のＳＩＰ ＵＲＩ（Ｕｎｉｆｏｒｍ  Ｒｅｓｏｕｒｃｅ  Ｉｄｅｎｔｉｆｉｅｒ）と現ＩＰアドレスが含まれている。衛星ＧＷ装置２４内の伝送制御部３０は、トランスポート層で伝送されてくるデータ中から、上記のＩＰ電話１９が発したＳＩＰメッセージを識別し、ＳＩＰ処理部３１へ転送する。この識別方法の一例として、トランスポート層のプロトコルによるパケット記述内容（ＩＰアドレスやポート番号等の内容）により識別する方法が考えられる。即ち、ＩＰ電話１９が発するＲｅｇｉｓｔｅｒメッセージの宛先アドレスやポート番号が特定の値（例えば、親局１内のＳＩＰサーバ装置９のＩＰアドレス、子局２のＩＰアドレスや、マルチキャストアドレス等）を示していることに基づいて、この特定の値を検知することにより、ＳＩＰメッセージであると識別できる。また、ＳＩＰメッセージは、一般にリクエスト行、ステータス行、ヘッダー部、空行、ボディ部により構成されており、リクエスト行やヘッダー部等に記述されるＳＩＰプロトコル特有の記述、例えば、ＲｅｇｉｓｔｅｒやＩｎｖｉｔｅ、ＳＩＰバージョン等の記述を検知することにより、ＳＩＰメッセージであることを識別するようにしても良く、伝送制御装置３０は、種々の方法により、ＩＰ端末１８及びＩＰ電話１９からなる端末装置群から伝送されてくるパケットのうち、ＩＰ電話１９からのパケットがＳＩＰメッセージであることを識別するようにすることができる。ＳＩＰ処理部３１は、伝送制御装置３０から転送されたＲｅｇｉｓｔｅｒメッセージについて、その内容のリクエスト行に記述された“Ｒｅｇｉｓｔｅｒ”を検知し、このリクエストに対応する登録要求信号を生成するとともに、その後のＳＩＰメッセージの処理に必要となる情報（ＳＩＰ  ＵＲＩ、ドメイン名、プロキシサーバのＩＰアドレス、子局内でのＩＰ電話の通し番号等の情報）を識別情報記憶部３２へ出力する。ＳＩＰ処理部３１が生成した登録要求信号は、伝送制御装置３０に入力される。この際、登録要求信号は、上りＣＳＣ回線４を用いて親局１へ送信する制御信号として扱われる。伝送制御装置３０は、登録要求信号を制御信号として信号処理部２８へ出力し、信号処理部２８は、登録要求信号をＣＳＣ回線変復調��６へ出力する。登録要求信号は、ＣＳＣ回線変復調部２６により変調され送受信機２５により周波数変換及び増幅され、図４に示すステップＳ２において、上りＣＳＣ回線４により通信衛星３を介して親局１へ送信される。親局２の親局衛星通信装置７は、上りＣＳＣ回線４により登録要求信号を受信すると復調等の処理を行った後、ステップＳ３により回線制御装置８へ入力する。回線制御装置８内のＤＡＭＡ回線制御部１３は、制御信号である登録要求信号の信号識別に基づきＳＩＰメッセージに関する制御信号であることを識別し、その登録要求信号をＳＩＰメッセージ処理部１４へ出力する。ＳＩＰメッセージ処理部１４は登録要求信号に基づき、ＳＩＰプロトコルによるＲｅｇｉｓｔｅｒメッセージを再生し、ステップＳ４によりＳＩＰサーバ装置９内のレジストラサーバ１５へ出力し、レジストラサーバ１５は再生されたＲｅｇｉｓｔｅｒメッセージに基づき、ロケーションサーバ１６に子局２のＩＰ電話１９のＳＩＰ ＵＲＩとＩＰアドレスを登録させる。子局２の衛星ＧＷ装置２４がＩＰ電話の登録削除を行う場合、又はＳＩＰプロトコルによる登録削除メッセージを衛星ＧＷ装置２４が受信した場合にも、上りＣＳＣ回線４を介して登録削除要求信号を送信し、親局１にて該当する登録情報を削除する。
【００３７】
子局２のＳＩＰ処理部３１が生成する登録要求信号は、上記のように上りＣＳＣ回線４により送信されるが、通常、上りＣＳＣ回線４は複数の子局２からの制御信号を受け付ける共通回線として割り当てられており、制御信号を数多く受け付けるためにデータ長が短い。上りＣＳＣ回線４における１の制御信号に許されるデータ長がＲｅｇｉｓｔｅｒメッセージ長より十分に長い場合には、ＳＩＰ処理部３１はＲｅｇｉｓｔｅｒメッセージをデータ部とし所定の信号識別等のヘッダ情報を付加して制御信号を生成すればよい。一方、上りＣＳＣ回線４における１の制御信号に許されるデータ長がＲｅｇｉｓｔｅｒメッセージ長より短く、１の制御信号で送信できない場合には、ＳＩＰ処理部３１は登録内容ごとに分けて登録要求信号を生成するようにすればよく、この手法について説明する。ＳＩＰ  ＵＲＩは、例えばａａａ＠ｅｘａｍｐｌｅ１．ｃｏ．ｊｐのような形態をとっており、これを２つに分解し、＠の後段部分（ドメイン名）と＠の前段部分（ユーザ名）とを分けて登録要求信号を生成する。図５はＩＰ電話１９のドメイン名に関する登録要求信号の一例を示す模式図である。図５に示す登録要求信号の書式では、送信元ＩＤに子局ＩＤを、信号識別に制御信号の識別符号（ドメイン名の登録要求信号であることを示す識別符号）を記述する。さらに、信号長、ＩＰ電話１９の子局２における通し番号、子局番号、及びＩＰ電話１９のドメイン名を記述する。図６はＩＰ電話１９のユーザ名及びＩＰアドレスに関する登録要求信号の一例を示す模式図である。図６に示す登録要求信号の書式では、送信元ＩＤに子局ＩＤを、信号識別に制御信号の識別符号（ユーザ名及びＩＰアドレスの登録要求信号であることを示す識別符号）を記述する。さらに、信号長、ＩＰ電話１９の省略名、ＩＰ電話１９の現ＩＰアドレス、有効期限、ＩＰ電話１９のユーザ名を記述する。ＩＰ電話の省略名は、子局番号とＩＰ電話の通し番号によりなる。図７はＩＰ電話が経由するプロキシサーバのＩＰアドレスに関する登録要求信号の一例を示す模式図である。ＩＰ電話１９がプロキシサーバ２１に接続される他のネットワーク２２上に位置している場合にはプロキシサーバのＩＰアドレスを登録する必要がある。なお、Ｉ／Ｆ２０はプロキシサーバ２１と子局２との入出力を管理しており、例えば、衛星通信システムへのアクセス許可管理などを行うものである。図７に示す登録要求信号の書式では、送信元ＩＤに子局ＩＤを、信号識別に制御信号の識別符号（プロキシサーバのＩＰアドレスの登録要求信号であることを示す識別符号）を記述する。さらに、信号長、子局番号、プロキシサーバのＩＰアドレス、ドメイン名を記述する。
【００３８】
親局１のＳＩＰメッセージ処理部１４において、図５乃至図７の登録要求信号を受け取り、Ｒｅｇｉｓｔｅｒメッセージを再生する。再生するＲｅｇｉｓｔｅｒメッセージは、元々のＲｅｇｉｓｔｅｒメッセージに、子局番号とその子局におけるＩＰ電話の通し番号を付加するようにしてもよい。再生されたＲｅｇｉｓｔｅｒメッセージに基づき、ロケーションサーバにＩＰ電話１９のＳＩＰ  ＵＲＩ及びＩＰアドレス等の情報を登録する。図８乃至図１０は、アドレス検索が容易となるように複数のリストに登録情報を配したものである。図８はＩＰ電話の省略名、ドメイン名、子局番号による登録リストを表すリスト表であり、図９はあるドメイン名に属するＳＩＰ  ＵＲＩ（＠の前段部分）、ＩＰアドレス、有効期限、子局番号による登録リストを表すリスト表であり、図１０はドメイン名、子局番号、プロキシサーバのＩＰアドレスによる登録リストを表すリスト表である。ロケーションサーバ１６に、このようなリスト表を設けることにより、その後のＩｎｖｉｔｅメッセージに対する相手先ＩＰアドレスの検索する際に、まずドメイン名が登録されているかどうかを図８に示すリスト表から検索し、ドメイン名がリストに挙がっている場合には、図９に示すドメイン名対応のリスト中のＳＩＰ  ＵＲＩ（＠の前段部分）により、ＩＰアドレスと子局番号とを検索できる。また、図９のリスト中に記述された有効期限に基づき、この有効期限を経過した登録情報を削除することにより、存在しなくなったＩＰ電話の登録情報が保持されつづけることを防ぐ。なお、ＳＩＰメッセージ処理部１４において再生するＲｅｇｉｓｔｅｒメッセージに子局番号とその子局におけるＩＰ電話の通し番号を付加することができない場合（換言すれば、ロケーションサーバ１６に子局番号とＩＰ電話の通し番号を登録しない場合）には、ＳＩＰメッセージ処理部１４において、ＩＰアドレス又はＳＩＰ  ＵＲＩと、子局番号とその子局におけるＩＰ電話の通し番号とを対応づけるリストを作成しておいてもよい。
【００３９】
ロケーションサーバ１６にてＩＰ電話１９のＳＩＰ  ＵＲＩ、ＩＰアドレス等の情報の登録が完了すると、図４に示すステップＳ５により応答メッセージ（メッセージの内容は、例えば処理ステータスにおいて記述される２００  ＯＫなどである。）を返信する。回線制御装置２のＳＩＰメッセージ処理部１４は応答メッセージに基づき、下りＣＳＣ回線５により送信する登録応答信号を生成する。この登録応答信号は、応答メッセージの内容のほか、子局番号とＩＰ電話の通し番号（或いは省略名）を含めておくことにより、送信相手となる子局２と接続されたＩＰ電話１９が特定される。登録応答信号はＤＡＭＡ制御回線部１３を介して、ステップＳ６により親局衛星通信装置７へ入力され、ステップＳ７において下りＣＳＣ回線５により通信衛星３を介して子局２へ送信される。子局２の衛星通信装置２３により受信復調した登録応答信号は、衛星ＧＷ装置２４へ入力され、ＳＩＰ処理部３１において、ＳＩＰプロトコルによる応答メッセージを生成し、ステップＳ８によりＩＰ電話１９へ返信する。
【００４０】
親局１に接続されるＩＰ電話１９がＲｅｇｉｓｔｅｒメッセージを発する場合には、上記のようなＣＳＣ回線を通じた登録処理の必要はなく、伝送制御部３０に相当する回路部からＳＩＰメッセージ処理部１４へＲｅｇｉｓｔｅｒメッセージを転送し、そのメッセージをレジストラサーバ１５へ入力すればよい。応答メッセージは逆の経路をたどる。
【００４１】
以上のように、ＩＰ電話１９のアドレス等の登録処理を上りＣＳＣ回線４及び下りＣＳＣ回線５によって行うことにより、親局１と子局２との間で通信回線６を割り当てることなく、或いは既に割り当てられている親局１と子局２との間で通信回線６の伝送量を増加させることなく、ＳＩＰプロトコルによるＩＰ電話のアドレス登録を行うことができる。また、ＩＰ電話１９や他のネットワーク２２に接続された端末において、衛星通信向けの特殊な信号を生成して送信したり、受信信号に対する特殊な処理を行う必要がないので、衛星通信系である子局２とＩＰ電話１９等の地上ネットワークとの親和性を高めることができる。
【００４２】
先にも述べたとおり、上りＣＳＣ回線４及び下りＣＳＣ回線５は元々ＤＡＭＡ方式を成立させる制御用の回線であり、この回線においてＩＰ電話による音声通信のための各種処理信号を送受信すると回線が混雑し、本来のＤＡＭＡ制御が十分に機能しなくなることも予測し得る。その場合には、ＩＰ電話による音声通信のための各種処理信号は、上りＣＳＣ回線４及び下りＣＳＣ回線５の代わりに、ＣＳＣ回線及び通信回線とは別に設けた子局１および親局２間の上り及び下り制御回線（図２には図示しないが、上りＣＳＣ回線４及び下りＣＳＣ回線５に相当する。）を設け、この制御回線により送受信するようにしてもよい。このような制御回線を設けることよって、ＣＳＣ回線および通信回線においてＩＰ電話の接続処理が大量に発生しＤＡＭＡの回線制御機能が損なわれて通信効率が低下することを防止することができる。
【００４３】
次に、ＩＰ電話１９から相手ＩＰ電話１９を特定した呼出信号が発せられた場合の処理について説明する。このＩＰ電話１９から発せられる呼出信号に対する処理のうち、以下ではＳＩＰプロトコルによるＩｎｖｉｔｅメッセージが発せられた場合の処理を例にとり説明する。図１１はＩｎｖｉｔｅメッセージに対する処理を表す処理シーケンス図である。ステップＳ９によりＩＰ電話１９の操作者が相手先をダイヤルすると、ＩＰ電話１９にて呼出信号であるＩｎｖｉｔｅメッセージが生成され、ステップＳ１０により衛星ＧＷ装置２４内の伝送制御部３０へ送信される。この段階でのＩｎｖｉｔｅメッセージは、相手ＩＰ電話１９のＩＰアドレスは不明であるため、親局１内のＳＩＰサーバ装置９のＩＰアドレスや子局２のＩＰアドレス、或いはマルチキャストアドレス等の特定のアドレス宛てに設定されている。伝送制御部３０はＲｅｇｉｓｔｅｒメッセージの場合と同様に、ＩｎｖｉｔｅメッセージについてもＳＩＰメッセージであることを識別し、ＳＩＰ処理部３１へ転送する。即ち、Ｉｎｖｉｔｅメッセージの宛先が特定のアドレスやポート番号等を示していることを検知してＳＩＰメッセージであることを識別したり、Ｉｎｖｉｔｅメッセージ中のＳＩＰプロトコル特有の記述、例えば、Ｉｎｖｉｔｅ、ＳＩＰバージョン等の記述を検知することにより、ＳＩＰメッセージであることを識別するようにしても良い。ＳＩＰ処理部３１は、伝送制御部３０から転送されたＩｎｖｉｔｅメッセージについて、その内容のリクエスト行に記述された“Ｉｎｖｉｔｅ”を検知し、Ｉｎｖｉｔｅメッセージの内容を上りＣＳＣ回線４により送信するためにＣＳＣ回線フォーマットの制御信号であるインバイト制御信号を生成するとともに、その後のＳＩＰメッセージの処理に必要となる情報（発呼したＩＰ電話１９のＳＩＰ  ＵＲＩ、ドメイン名、プロキシサーバのＩＰアドレス、子局内でのＩＰ電話１９の通し番号、相手ＩＰ電話のＳＩＰ  ＵＲＩ、問合せ番号等の情報）を識別情報記憶部３２へ出力する。一般にＩＰ電話１９から出力される呼出信号に対して、本発明では、この呼出信号を親局１へ上りＣＳＣ回線４により送信するために、呼出信号に基づき上りＣＳＣ回線４の制御信号フォーマットによる呼出制御信号を生成するものとし、上記のインバイト制御信号は、ＳＩＰプロトコルである場合の呼出制御信号の一形式にあたる。インバイト制御信号は、自局の子局ＩＤ、信号識別、信号長、自局の子局番号、問合せ番号、相手ＩＰ電話１９のＳＩＰ ＵＲＩを含むものとする。問合せ番号はインバイト制御信号を子局２において特定する一連番号とする。ＳＩＰ  ＵＲＩのデータ長が上りＣＳＣ回線４において１の制御信号に許されるデータ長より長い場合には、ＳＩＰ  ＵＲＩを＠の前後で分割してインバイト制御信号を生成すれば良く、これはＲｅｇｉｓｔｅｒメッセージに対応する登録要求信号をＳＩＰ処理部３１が生成する場合の手法と同様である。インバイト制御信号は伝送制御部３０、信号処理部２８、ＣＳＣ回線変復調部２６を経由して送受信機２５から、図１１に示すステップＳ１１において、上りＣＳＣ回線４により送信される。
【００４４】
親局衛星通信装置７は上りＣＳＣ回線４によりインバイト制御信号を受信し、これを復調および信号処理して、ステップＳ１２により、回線制御装置８へ出力する。回線制御装置８内のＳＩＰメッセージ処理部１４はインバイト制御信号に基づき相手ＩＰ電話１９のＳＩＰ  ＵＲＩを含むＩｎｖｉｔｅメッセージを生成し、ステップＳ１３によりＳＩＰサーバ装置９内のリダイレクトサーバ１７へ出力する。リダイレクトサーバ１７はＩｎｖｉｔｅメッセージを受けて、ロケーションサーバ１６へ相手ＩＰ電話１９のＳＩＰ  ＵＲＩに対応するＩＰアドレス、その相手子局１９が接続されている子局番号及び相手ＩＰ電話１９の通し番号を検索するように照会する。ロケーションサーバ１６は、図８乃至図１０に示したような登録リストをもとに、相手ＩＰ電話１９のＩＰアドレス、子局番号、通し番号をリダイレクトサーバ１７へ返答し、リダイレクトサーバ１７は、相手ＩＰ電話１９のＩＰアドレス、接続される子局番号、通し番号を含む応答メッセージを生成して、図１１に示すステップＳ１４により、ＳＩＰメッセージ処理部１４へ出力する。ＳＩＰメッセージ処理部１４は、リダイレクトサーバ１７からの応答メッセージに基づき、応答信号を生成し、ステップＳ１５により、親局衛星通信装置７へ出力する。応答信号は、子局番号、問合せ番号（先のアドレス問合せ信号に記述されていたもの）、相手ＩＰ電話１９のＩＰアドレス、接続される子局番号、通し番号を含むものとする。なお、ＳＩＰメッセージ処理部１４において、ＩＰアドレス又はＳＩＰ  ＵＲＩと、子局番号及びその子局におけるＩＰ電話の通し番号とを対応づけるリストを作成している場合には、ＳＩＰメッセージ処理部１４は、ロケーションサーバ１６から相手ＩＰ電話１９のＩＰアドレスが返信され、ＳＩＰメッセージ処理部１４におけるリストにより相手ＩＰ電話１９の子局番号と通し番号を検索し、アドレス応答信号を生成する。親局衛星通信装置７は生成された応答信号を、図１１に示すステップＳ１６において、下りＣＳＣ回線５により送信する。
【００４５】
親局１の回線制御装置１３は、この応答信号によって、近時に子局間でのＩＰ電話１９による音声通信が開始されることが判明するので、回線割当要求信号を子局２から受信していない状態において、インバイト制御信号を発した子局２と相手ＩＰ電話が所属する相手子局２との間の通信回線の割り当てを行い、図４に示すステップＳ１７により、親局衛星通信装置７へ回線割当応答信号を出力する。親局衛星通信装置７は、ステップＳ１８において、回線割当応答信号を下りＣＳＣ回線５により、インバイト制御信号を発した子局と相手ＩＰ電話が所属する子局へ送信する。このステップＳ１８による回線割当応答信号の送信を、ステップＳ１６によるアドレス応答信号の送信に引き続き直後に行うことにより、ＩＰ電話１９間の音声通信をより速やかに開始することが可能となる。回線割当応答信号をステップＳ１８により受信した子局２及び相手子局２は、割り当てられた通信回線を通信回線変復調部２７に設定する（ステップＳ１９）。
【００４６】
一方、ステップＳ１６において、下りＣＳＣ回線４により応答信号を受信した子局２では、ＳＩＰ処理部３１により応答信号に基づくＳＩＰプロトコルによる応答メッセージを生成する。応答メッセージは、ＳＩＰプロトコルによる応答コードに基づき、例えば応答コード３００番台のリダイレクト応答とする。このリダイレクト応答には、アドレス応答信号により取得した相手ＩＰ電話のＩＰアドレスが記述される。ＳＩＰ処理部３１は応答メッセージを伝送制御部３０へ出力し、伝送制御部３０は、ステップＳ２０により応答メッセージを発呼したＩＰ電話１９へ送信する。
【００４７】
ステップＳ２０により応答メッセージを受信したＩＰ電話１９は、リダイレクト応答の内容に基づき、相手ＩＰ電話１９のＩＰアドレスを指定する再度のＩｎｖｉｔｅメッセージを生成し、ステップＳ２１により、子局２の衛星ＧＷ装置２４へ送信する。衛星ＧＷ装置２４において、Ｉｎｖｉｔｅメッセージに記述されたＩＰアドレスを伝送制御部３０において検出し、ＳＩＰ処理部３１は識別情報記憶部３２へそのＩＰアドレスに対応する子局番号を検索する。検索により得られる子局番号に基づき伝送制御部３０はその子局番号あての伝送データとして、Ｉｎｖｉｔｅメッセージを信号処理部２８へ出力する。信号処理部２８はＩｎｖｉｔｅメッセージをフレーム処理等行って通信回線変復調部２７へ出力し、通信回線変復調部２７はステップＳ１９において設定された通信回線における変調処理を行い、送受信機２５からＩｎｖｉｔｅメッセージを、ステップＳ２２において、通信回線６により送信する。Ｉｎｖｉｔｅメッセージを通信回線６により受信した相手子局２においては、Ｉｎｖｉｔｅメッセージに記述される相手ＩＰ電話１９のＩＰアドレス又はＳＩＰ  ＵＲＩにより接続されたＩＰ電話１９を特定し、ＩｎｖｉｔｅメッセージをステップＳ２３により該当するＩＰ電話１９へ送信する。ステップＳ２３によりＩｎｖｉｔｅメッセージを受信した相手ＩＰ電話１９においては、呼び出し音が発せられ、また、応答コードの１００番台にあたるＲｉｎｇｉｎｇ暫定応答や、２００番台の成功応答が生成されて、発呼したＩＰ電話１９へ返信される。これらの応答メッセージやその後のＩＰ電話間の音声通話信号の伝送は、ステップＳ１９で設定された子局間の通信回線６により行われる。
【００４８】
以上のように、最初に生起されたＩｎｖｉｔｅメッセージに伴ないインバイト制御信号を子局２にて生成し、ＣＳＣ回線により子局２から親局１へ送信することによって、親局１と子局２との間で通信回線６を割り当てることなく、或いは既に割り当てられている親局１と子局２との間で通信回線６の伝送量を増加させることなく、ＳＩＰプロトコルによるＩＰ電話のインバイトメッセージに対するＩＰアドレス解決やその応答処理を行うことができる。また、ＩＰ電話１９や他のネットワーク２２に接続された端末において、衛星通信向けの特殊な信号を生成して送信したり、受信信号に対する特殊な処理を行う必要がないので、衛星通信系である子局２とＩＰ電話１９等の地上ネットワークとの親和性を高めることができる。
【００４９】
また、ＩＰ電話による音声通信のための各種処理信号は、上りＣＳＣ回線４及び下りＣＳＣ回線５の代わりに、ＣＳＣ回線及び通信回線とは別に設けた子局１および親局２間の上り及び下り制御回線（図２には図示しないが、上りＣＳＣ回線４及び下りＣＳＣ回線５に相当する。）を設け、この制御回線により送受信するようにしてもよく、上記のＩｎｖｉｔｅメッセージに対するＩｎｖｉｔｅ制御信号及び応答信号をこの制御回線により子局２と親局１との間で送受信することにより、ＣＳＣ回線および通信回線においてＩＰ電話の接続処理が大量に発生しＤＡＭＡの回線制御機能が損なわれて通信効率が低下することを防止することができる。
【００５０】
実施の形態２
【００５１】
この発明の実施の形態２に係る衛星通信方法、子局、親局及び管理局を図１２乃至図１７を用いて説明する。図１２はこの発明の実施の形態２に係る衛星通信システムの構成を表す構成図である。図１２において、３３は複数の子局２を含む子局グループであり、３４は子局グループに含まれる各子局２を管理する管理局である。３５は親局１と子局２との間で回線割当要求信号や回線割当応答信号などの制御信号を通信衛星３を経由して送受信するための第１のＣＳＣ回線であり、子局２から親局１へ送信するための第１の上りＣＳＣ回線と、親局１から子局２へ送信するための第１の下りＣＳＣ回線とにより構成する。この第１のＣＳＣ回線３５は、実施の形態１において説明した上りＣＳＣ回線４及び下りＣＳＣ回線５により構成されるＣＳＣ回線に相当するものである。第１の上りＣＳＣ回線により、子局２から通信回線の割り当てを要求する回線割当要求信号を親局１へ送信し、親局１において子局間の通信回線６を割り当て、割り当てられた通信回線６の回線情報は、第１の下りＣＳＣ回線により回線割当応答信号として親局１から子局２および通信相手となる他の子局２へ送信される。この回線割当応答信号を受信した子局２と相手子局２との間で通信衛星３を介した通信回線６により通信が行われる。３６は管理局３４と子局グループ３３に含まれる子局２との間で制御信号や情報信号などの信号を送受信するための第２のＣＳＣ回線である（制御信号及び情報信号を送受信する場合と、制御信号または情報信号の一方のみを送受信する場合とがあり、これは管制局３４が子局２をどのように管理するかについてのシステム要求に基づく。）。図１３は使用する回線の周波数軸上での配置を表す模式図である。使用する回線は、第１のＣＳＣ回線３５、第２のＣＳＣ回線３６及び複数の通信回線６である。第１のＣＳＣ回線３５は第１の上りＣＳＣ回線３５ａ及び第１の下りＣＳＣ回線３５ｂよりなり、第２のＣＳＣ回線３６は第２の上りＣＳＣ回線３６ａ及び第２の下りＣＳＣ回線３６ｂよりなる。第１のＣＳＣ回線３５及び第２のＣＳＣ回線３６は固定的に割り当てられており、複数の通信回線６は衛星通信システムに割り当てられた周波数帯域において、上述のように子局２からの要求に基づき親局１によって適宜割り当てられるものである。第１のＣＳＣ回線３５は、主としてＤＡＭＡ方式の通信回線割り当てを成立させる制御用の回線である。第２のＣＳＣ回線３６は、子局グループ３３に含まれる子局２を管理局３４により管理する信号用の回線であるが、実施の形態２においては、この第２のＣＳＣ回線３６により、子局２と管理局３４との間でＩＰ電話による音声通信のための各種処理信号を送受信するようにする。
【００５２】
次にこの発明の実施の形態２に係る子局２、管理局３４及び親局１の構成について図１４及び図１５を用いて説明する。図１４はこの発明の実施の形態２に係る子局及び管理局の構成を表す構成図である。図１４に示す管理局３４において、３７は通信衛星３との間で信号の送受信、変復調及び信号処理を行う管理局衛星通信装置、３８は子局グループ３３に属する子局２の管理及びＳＩＰ処理を行う管理装置である。管理局衛星通信装置３７における送受信機１０、ＣＳＣ回線変復調部１１及び信号処理部１２は図３において同一符号を付した部分に相当し、管理局通信装置３７は第２のＣＳＣ回線３６により通信衛星３との間で信号の送受信を行うものとする。管理装置３８において、３９は子局グループ３３に属する子局２の管理のための処理を行う管理部であり、子局２への制御信号や情報信号を生成し管理局衛星通信装置３７へ出力し、管理局衛星通信装置３７から入力される子局２の応答信号に基づき子局２の管理を行う。また、管理部３９はＩＰ電話による音声通信のための各種処理信号に基づく制御信号を信号処理部１２とＳＩＰメッセージ処理部１４との間にあって入出力する。一方、子局２の衛星通信装置２３は、通信回線６、第１のＣＳＣ回線３５及び第２のＣＳＣ回線３６により、通信衛星を介した信号の送受信を行い、衛星通信装置２３内のＣＳＣ回線変復調部２６は、親局１との間の第１のＣＳＣ回線３５と、管理局３４との間の第２のＣＳＣ回線３６との両方において送受信する制御信号や情報信号を変復調し、送受信機２５と信号処理部２８との間で信号を入出力する。図１５はこの発明の実施の形態２に係る親局の構成を表す構成図である。図１５において、４０はＤＡＭＡ回線制御を行う回線制御装置であり、回線制御装置４０内には、ＤＡＭＡ方式の回線制御を行うＤＡＭＡ回線制御部１３を備える。図１４及び図１５に示す管理局３４と親局１とは各種通信端末が接続された一子局として動作するために図１４に示す子局の構成をさらに備えるものであってもよい。なお、図１４及び図１５について本実施の形態においてとくに説明するもののほか、図１４及び図１５において図３と同一の符号を付した部分及び回路は、図３におけるそれらの部分及び回路と同一又は相当する部分及び回路を示す。また、図１４に示す構成は、ＩＰ電話の処理がＳＩＰプロトコルにより行われる例について示すものであるが、同種のＩＰ電話用通信処理を行うプロトコルに代替することができ、例えば、図１４に示すＳＩＰサーバ装置９は、その代替されるプロトコルの実行に用いられるサーバ装置でよく、また管理局３４内のＳＩＰメッセージ処理部１４及び子局２内のＳＩＰ処理部３１はそれぞれ、代替されるプロトコルにおいて、ＳＩＰメッセージ処理部１４及びＳＩＰ処理部３１と同様な処理を行うものとすればよい。
【００５３】
親局１及び子局２の動作について、子局に接続されたＩＰ端末１８間での通信衛星３を介したデータ通信を行う場合の動作を説明する。伝送制御部３０は複数のＩＰ端末１８からなる端末装置群からの伝送データをバッファリングしながら信号処理部２８へ伝送しており、伝送制御部３０と信号処理部２８へ伝送できる伝送データ量は、衛星通信装置２３に割り当てられた通信回線の帯域幅に依存する。子局２は相手子局２とのデータ通信が必要になると、親局１に対して回線割当要求信号を第１の上りＣＳＣ回線３５ａにより送信する。この回線割当要求信号は相手子局を特定する情報を含むものであり、伝送制御部３０にて生成され、信号処理部２８で信号処理されてＣＳＣ回線変復調部２６により変調され、送受信機２５により送信される。親局１は第１の上りＣＳＣ回線３５ａをモニタしており、回線割当要求信号を受信復調し、信号処理して再生する。親局２の信号処理部１２により再生された回線割当要求信号はＤＡＭＡ回線制御部１３に入力され、ＤＡＭＡ回線制御部１３はシステム専用帯域（通信システムに与えられる使用できる周波数帯域のこと）中の空き領域を検索し、空き領域に通信回線を割り当て、その中心周波数と帯域幅の情報、及び当該回線割当要求をした子局２と相手子局２とを特定する情報を含む回線割当応答信号を生成し、信号処理部１２へ出力する。回線割当応答信号は、信号処理部１２により信号処理され、ＣＳＣ回線変復調部１１により変調され、送受信機１０から第１の下りＣＳＣ回線３５ｂにより送信される。子局２と相手子局２は、第１の下りＣＳＣ回線３５ｂをモニタしており、回線割当応答信号を受信すると、これを復調し再生して割り当てられた中心周波数と帯域幅に通信回線変復調部２７を設定して子局間での通信を行う。ここで割り当てられる通信回線は子局２から相手子局２への送信回線、相手子局２から子局２への送信回線である。子局２間での通信が終了すると、子局２の伝送制御部３０にて通信終了信号が生成されて、第１の上りＣＳＣ回線３５ａにより親局２へ送信され、親局２は割り当てていた通信回線を開放し、システム専用帯域中の空き領域とする。子局２間での通信は１対のＩＰ端末１８間で行われる場合だけでなく、当該子局２間で複数対のＩＰ端末１８間で行われる場合もあり、ＩＰ端末１８の対の増減によりデータ伝送量が増減する。データ伝送量が増減した場合には、子局２の伝送制御部３０により帯域変更要求信号を生成して第１の上りＣＳＣ回線３５ａにより送信し、親局２にて帯域変更要求信号を受信して、ＤＡＭＡ回線制御部１３にて通信回線の再割り当てを行うようにしてもよい。親局２のＤＡＭＡ回線制御部１３は回線再割当応答信号を生成して第１の下りＣＳＣ回線３５ｂにより送信し、これを受信した子局２及び相手子局２は通信周波数帯域を変更する。このような通信回線の再割り当てによって、システム専用帯域の柔軟な運用が行えるものである。なお、親局１が子局２との間で通信を開始する場合の回線割当は、直接親局１のＤＡＭＡ回線制御部１３で行い、回線割当応答信号を相手子局２へ第１の下りＣＳＣ回線３５ｂにより送信すればよい。
【００５４】
次に、管理局３４及び子局２の動作について、管理局３４が子局グループ３３に含まれる子局２を管理する処理について説明する。管理局３４は第２のＣＳＣ回線３６により子局グループ３３に属する子局２との間で制御信号や情報信号等の信号を送受信して子局グループ３３に含まれる子局２の管理を行う。この第２のＣＳＣ回線３６により管理局３４が送信する制御信号には、ヘルスチェック信号や故障モニタ信号、強制回線接続信号、強制回線切断信号等がある。ヘルスチェック信号は子局２が正常動作しているかどうかについて子局２からの応答を促す制御信号であり、このヘルスチェック信号を第２の下りＣＳＣ回線３６ｂにより受信した子局２は、ヘルスチェック応答信号であることを示す信号識別、子局ＩＤ、子局番号、正常動作中であるか否かを示す符号等を含む応答信号を生成して、第２の上りＣＳＣ回線回線３６ａにより通信衛星３を介して管理局３４へ送信する。管理局３４では、このヘルスチェック応答信号を受信して、子局グループ３３内の各子局２が正常動作しているかどうかを管理部３９にて管理する。故障モニタ信号は、子局２内に故障箇所があるかどうかについて子局２からの応答を促す制御信号である。また、強制回線接続信号は、子局グループ３３内の特定の子局間での通信回線接続を促す制御信号であり、強制回線切断信号は、子局グループ３３内の特定の子局間で接続中の通信回線を切断するよう促す制御信号である。管理局３４が第２の下りＣＳＣ回線３６ｂにより送信する強制回線接続信号や強制回線切断信号を受信した子局２は、第１の上りＣＳＣ回線３５ａにより親局１へ回線割当要求信号や通信終了信号を送信する。管理局３４が第２のＣＳＣ回線３６により送信する情報信号には、子局グループ３３に含まれる子局２が受信して有効に利用することができる種々の情報が含まれる。このような情報には、例えば、気象情報や災害情報、交通情報などの情報のほか、その子局グループ３３が作成された目的に応じて各子局が共有するような情報などが考えられる。管理局３４から子局グループ３３内の各子局２へ送信する通達なども情報信号に含まれる。管理局３４から第２の下りＣＳＣ回線３６ｂにより送信される情報信号に対して、これを受信した子局２が応答信号を送信する場合と送信しない場合があり、これはその情報信号の性質により決まる。情報信号が子局２によって確かに受信されたことを管理局３４にて確認する必要がある場合には、その情報信号に対する受領応答信号を子局２において生成し、第２の上りＣＳＣ回線３６ａにより管理局３４へ送信し、この受領応答信号を受信した管理局３４内の管理部３９にて、子局グループ３３に含まれる各子局２における情報信号の受領の有無を管理する。
【００５５】
次に、管理局３４及び子局２の動作について、子局に接続されたＩＰ電話１９間での通信衛星３を介した音声通信を行う場合の動作を説明する。音声通信を行うためのプロトコルがＳＩＰである場合を例にとって説明するが、他のＩＰ電話通信用のプロトコルについても同様な動作となる。図１６はＩＰ電話１９の登録処理を表す処理シーケンス図である。ＩＰ電話１９が音声通信を行うためには、ＩＰ電話１９からの登録信号に対する処理を行う必要があり、以下ではＳＩＰプロトコルによるＲｅｇｉｓｔｅｒメッセージがＩＰ電話１９から発せられた場合の処理を例にとり説明する。まず、ＩＰ電話１９を子局２に接続したときに静的若しくは動的に割り当てられるＩＰアドレスを管理局３４のＳＩＰサーバ装置９に登録する必要がある。図１６において、ステップＳ２４により、ＩＰ電話１９は接続された状態で、登録信号であるＳＩＰメッセージのＲｅｇｉｓｔｅｒメッセージを送信する。このＲｅｇｉｓｔｅｒメッセージには、ＩＰ電話１９のＳＩＰ ＵＲＩと現ＩＰアドレスが含まれている。衛星ＧＷ装置２４内の伝送制御部３０は、トランスポート層で伝送されてくるデータ中から、上記のＩＰ電話１９が発したＳＩＰメッセージを識別し、ＳＩＰ処理部３１へ転送する。この識別方法については実施の形態１において説明しているので、ここでの説明は省略する。ＳＩＰ処理部３１は、伝送制御装置３０から転送されたＲｅｇｉｓｔｅｒメッセージについて、その内容のリクエスト行に記述された“Ｒｅｇｉｓｔｅｒ”を検知し、このリクエストに対応する登録要求信号を生成するとともに、その後のＳＩＰメッセージの処理に必要となる情報（ＳＩＰ  ＵＲＩ、ドメイン名、プロキシサーバのＩＰアドレス、子局内でのＩＰ電話の通し番号等の情報）を識別情報記憶部３２へ出力する。ＳＩＰ処理部３１が生成した登録要求信号は、伝送制御装置３０に入力される。この際、登録要求信号は、第２の上りＣＳＣ回線３６ａを用いて管理局３４へ送信する制御信号として扱われる。伝送制御装置３０は、登録要求信号を制御信号として信号処理部２８へ出力し、信号処理部２８は、登録要求信号をＣＳＣ回線変復調２６へ出力する。登録要求信号は、ＣＳＣ回線変復調部２６により変調され送受信機２５により周波数変換及び増幅され、図１６に示すステップＳ２５において、第２の上りＣＳＣ回線３６ａにより通信衛星３を介して管理局３４へ送信される。管理局３４の管理局衛星通信装置３７は、第２の上りＣＳＣ回線３６ａにより登録要求信号を受信すると復調等の処理を行った後、ステップＳ２６により管理装置３８へ入力する。管理装置３８内の管理部３９は、制御信号である登録要求信号の信号識別に基づきＳＩＰメッセージに関する制御信号であることを識別し、その登録要求信号をＳＩＰメッセージ処理部１４へ出力する。ＳＩＰメッセージ処理部１４は登録要求信号に基づき、ＳＩＰプロトコルによるＲｅｇｉｓｔｅｒメッセージを再生し、ステップＳ２７によりＳＩＰサーバ装置９内のレジストラサーバ１５へ出力し、レジストラサーバ１５は再生されたＲｅｇｉｓｔｅｒメッセージに基づき、ロケーションサーバ１６に子局２のＩＰ電話１９のＳＩＰ ＵＲＩとＩＰアドレスを登録させる。子局��の衛星ＧＷ装置２４がＩＰ電話の登録削除を行う場合、又はＳＩＰプロトコルによる登録削除メッセージを衛星ＧＷ装置２４が受信した場合にも、第２の上りＣＳＣ回線３６ａを介して登録削除要求信号を送信し、管理局３４にて該当する登録情報を削除する。
【００５６】
子局２のＳＩＰ処理部３１が生成する登録要求信号は、上記のように第２の上りＣＳＣ回線３６ａにより送信されるが、通常、第２の上りＣＳＣ回線３６ａは複数の子局２からの応答信号等を受け付ける共通回線として割り当てられており、応答信号等を数多く受け付けるためにデータ長が短い。第２の上りＣＳＣ回線３６ａにおける１の応答信号等に許されるデータ長がＲｅｇｉｓｔｅｒメッセージ長より十分に長い場合には、ＳＩＰ処理部３１はＲｅｇｉｓｔｅｒメッセージをデータ部とし所定の信号識別等のヘッダ情報を付加して登録要求信号を生成すればよい。一方、第２の上りＣＳＣ回線３６ａにおける１の応答信号に許されるデータ長がＲｅｇｉｓｔｅｒメッセージ長より短く、１の登録要求信号で送信できない場合には、ＳＩＰ処理部３１は登録内容ごとに分けて登録要求信号を生成するようにすればよく、この手法については実施の形態１において説明したとおりであり、ここでの説明を省略する。
【００５７】
管理局３４のＳＩＰメッセージ処理部１４は、図１６に示すステップ２６により登録要求信号を受け取り、Ｒｅｇｉｓｔｅｒメッセージを再生する。レジストラサーバ１５は再生されたＲｅｇｉｓｔｅｒメッセージに基づき、ロケーションサーバ１６にＩＰ電話１９のＳＩＰ  ＵＲＩ及びＩＰアドレス等の情報を登録する。ロケーションサーバ１６やＳＩＰメッセージ処理部１４での登録内容については、実施の形態１において説明しているので説明を省略する。
【００５８】
ロケーションサーバ１６にてＩＰ電話１９のＳＩＰ  ＵＲＩ、ＩＰアドレス等の情報の登録が完了すると、図１６に示すステップＳ２８により応答メッセージ（メッセージの内容は、例えば処理ステータスにおいて記述される２００  ＯＫなどである。）を返信する。管理装置３８のＳＩＰメッセージ処理部１４は応答メッセージに基づき、第２の下りＣＳＣ回線３６ｂにより送信する登録応答信号を生成する。この登録応答信号は、応答メッセージの内容のほか、子局番号とＩＰ電話の通し番号（或いは省略名）を含めておくことにより、送信相手となる子局２と接続されたＩＰ電話１９が特定される。登録応答信号は管理部３９を介して、ステップＳ２９により管理局衛星通信装置３７へ入力され、ステップＳ３０において第２の下りＣＳＣ回線３６ｂにより通信衛星３を介して子局２へ送信される。子局２の衛星通信装置２３により受信復調した登録応答信号は、衛星ＧＷ装置２４へ入力され、ＳＩＰ処理部３１において、ＳＩＰプロトコルによる応答メッセージを生成し、ステップＳ３１によりＩＰ電話１９へ返信する。
【００５９】
管理局３４に接続されるＩＰ電話１９がＲｅｇｉｓｔｅｒメッセージを発する場合には、上記のようなＣＳＣ回線を通じた登録処理の必要はなく、伝送制御部３０に相当する回路部からＳＩＰメッセージ処理部１４へＲｅｇｉｓｔｅｒメッセージを転送し、そのメッセージをレジストラサーバ１５へ入力すればよい。応答メッセージは逆の経路をたどる。
【００６０】
以上のように、ＩＰ電話１９のアドレス等の登録処理を第２の上りＣＳＣ回線３６ａ及び第２の下りＣＳＣ回線３６ｂによって行うことにより、管理局３４や親局１と子局２との間で通信回線６を割り当てることなく、或いは既に割り当てられている管理局３４や親局１と子局２との間での通信回線６の伝送量を増加させることなく、ＳＩＰプロトコルによるＩＰ電話のアドレス登録を行うことができる。また、親局１が使用する第１のＣＳＣ回線３５での制御信号を増大させることなく、ＳＩＰプロトコルによるＩＰ電話のアドレス登録を行うことができる。ＩＰ電話１９や他のネットワーク２２に接続された端末において、衛星通信向けの特殊な信号を生成して送信したり、受信信号に対する特殊な処理を行う必要がないので、衛星通信系である子局２とＩＰ電話１９等の地上ネットワークとの親和性を高めることができる。
【００６１】
管理局３４は、上記のように自局が管理する子局グループ３３内の子局２に接続されたＩＰ電話１９の登録を通信衛星３を介して行うが、他の管理局３４に登録されている他の子局グループ３３の子局２に接続されたＩＰ電話１９の登録内容を、他の管理局３４からの連絡を受けて登録してもよく、このような他の管理局３４からの登録内容の連絡は、通信衛星３を介した通信回線や、別途設けられる有線通信経路（例えばインターネットなど）を介して行うことができる。他の子局グループ３３に含まれる子局２に接続されたＩＰ電話１９の登録内容を管理局３４が有することにより、ＩＰ電話１９が音声通信できる相手ＩＰ電話の範囲を広げることができる。
【００６２】
次に、ＩＰ電話１９から相手ＩＰ電話１９を特定した呼出信号が発せられた場合の処理について説明する。このＩＰ電話１９から発せられる呼出信号に対する処理のうち、以下ではＳＩＰプロトコルによるＩｎｖｉｔｅメッセージが発せられた場合の処理を例にとり説明する。図１７はＩｎｖｉｔｅメッセージに対する処理を表す処理シーケンス図である。ステップＳ３２によりＩＰ電話１９の操作者が相手先をダイヤルすると、ＩＰ電話１９にて呼出信号であるＩｎｖｉｔｅメッセージが生成され、ステップＳ３３により衛星ＧＷ装置２４内の伝送制御部３０へ送信される。この段階でのＩｎｖｉｔｅメッセージは、相手ＩＰ電話１９のＩＰアドレスは不明であるため、管理局３４内のＳＩＰサーバ装置９のＩＰアドレスや子局２のＩＰアドレス、或いはマルチキャストアドレス等の特定のアドレス宛てに設定されている。伝送制御部３０はＲｅｇｉｓｔｅｒメッセージの場合と同様に、ＩｎｖｉｔｅメッセージについてもＳＩＰメッセージであることを識別し、ＳＩＰ処理部３１へ転送する。即ち、Ｉｎｖｉｔｅメッセージの宛先が特定のアドレスやポート番号等を示していることを検知してＳＩＰメッセージであることを識別したり、Ｉｎｖｉｔｅメッセージ中のＳＩＰプロトコル特有の記述、例えば、Ｉｎｖｉｔｅ、ＳＩＰバージョン等の記述を検知することにより、ＳＩＰメッセージであることを識別するようにしても良い。ＳＩＰ処理部３１は、伝送制御部３０から転送されたＩｎｖｉｔｅメッセージについて、その内容のリクエスト行に記述された“Ｉｎｖｉｔｅ”を検知し、Ｉｎｖｉｔｅメッセージの内容を第２の上りＣＳＣ回線３６ａにより送信するためにＣＳＣ回線フォーマットの制御信号であるインバイト制御信号を生成するとともに、その後のＳＩＰメッセージの処理に必要となる情報（発呼したＩＰ電話１９のＳＩＰ  ＵＲＩ、ドメイン名、プロキシサーバのＩＰアドレス、子局内でのＩＰ電話１９の通し番号、相手ＩＰ電話のＳＩＰ  ＵＲＩ、問合せ番号等の情報）を識別情報記憶部３２へ出力する。一般にＩＰ電話１９から出力される呼出信号に対して、本発明では、この呼出信号を管理局３４へ第２の上りＣＳＣ回線３６ａにより送信するために、呼出信号に基づき第２の上りＣＳＣ回線３６ａの信号フォーマットによる呼出制御信号を生成するものとし、上記のインバイト制御信号は、ＳＩＰプロトコルである場合の呼出制御信号の一形式にあたる。インバイト制御信号は、自局の子局ＩＤ、信号識別、信号長、自局の子局番号、問合せ番号、相手ＩＰ電話１９のＳＩＰ ＵＲＩを含むものとする。問合せ番号はインバイト制御信号を子局２において特定する一連番号とする。ＳＩＰ  ＵＲＩのデータ長が第２の上りＣＳＣ回線３６ａにおいて１の応答信号等に許されるデータ長より長い場合には、ＳＩＰ  ＵＲＩを＠の前後で分割してインバイト制御信号を生成すれば良く、これはＲｅｇｉｓｔｅｒメッセージに対応する登録要求信号をＳＩＰ処理部３１が生成する場合の手法と同様である。インバイト制御信号は伝送制御部３０、信号処理部２８、ＣＳＣ回線変復調部２６を経由して送受信機２５から、図１７に示すステップＳ３４において、第２の上りＣＳＣ回線３６ａにより送信される。
【００６３】
管理局衛星通信装置３７は第２の上りＣＳＣ回線３６ａによりインバイト制御信号を受信し、これを復調および信号処理して、ステップＳ３５により、管理装置３８へ出力する。管理装置３８内のＳＩＰメッセージ処理部１４はインバイト制御信号に基づき相手ＩＰ電話１９のＳＩＰ  ＵＲＩを含むＩｎｖｉｔｅメッセージを生成し、ステップＳ３６によりＳＩＰサーバ装置９内のリダイレクトサーバ１７へ出力する。リダイレクトサーバ１７はＩｎｖｉｔｅメッセージを受けて、ロケーションサーバ１６へ相手ＩＰ電話１９のＳＩＰ  ＵＲＩに対応するＩＰアドレス、その相手子局１９が接続されている子局番号及び相手ＩＰ電話１９の通し番号を検索するように照会する。ロケーションサーバ１６は、図８乃至図１０に示したような登録リストをもとに、相手ＩＰ電話１９のＩＰアドレス、子局番号、通し番号をリダイレクトサーバ１７へ返答し、リダイレクトサーバ１７は、相手ＩＰ電話１９のＩＰアドレス、接続される子局番号、通し番号を含む応答メッセージを生成して、図１７に示すステップＳ３７により、ＳＩＰメッセージ処理部１４へ出力する。ＳＩＰメッセージ処理部１４は、リダイレクトサーバ１７からの応答メッセージに基づき、応答信号を生成し、ステップＳ３８により、管理局衛星通信装置３７へ出力する。応答信号は、子局番号、問合せ番号（先のアドレス問合せ信号に記述されていたもの）、相手ＩＰ電話１９のＩＰアドレス、接続される子局番号、通し番号を含むものとする。なお、ＳＩＰメッセージ処理部１４において、ＩＰアドレス又はＳＩＰ  ＵＲＩと、子局番号及びその子局におけるＩＰ電話の通し番号とを対応づけるリストを作成している場合には、ＳＩＰメッセージ処理部１４は、ロケーションサーバ１６から相手ＩＰ電話１９のＩＰアドレスが返信され、ＳＩＰメッセージ処理部１４におけるリストにより相手ＩＰ電話１９の子局番号と通し番号を検索し、アドレス応答信号を生成する。管理局衛星通信装置３７は生成された応答信号を、図１７に示すステップＳ３９において、第２の下りＣＳＣ回線３６ｂにより送信する。
【００６４】
ステップＳ３９において、第２の下りＣＳＣ回線３６ｂにより応答信号を受信した子局２では、ＳＩＰ処理部３１により応答信号に基づくＳＩＰプロトコルによる応答メッセージを生成する。応答メッセージは、ＳＩＰプロトコルによる応答コードに基づき、例えば応答コード３００番台のリダイレクト応答とする。このリダイレクト応答には、アドレス応答信号により取得した相手ＩＰ電話のＩＰアドレスが記述される。ＳＩＰ処理部３１は応答メッセージを伝送制御部３０へ出力し、伝送制御部３０は、ステップＳ４０により応答メッセージを発呼したＩＰ電話１９へ送信する。
【００６５】
ステップＳ４０により応答メッセージを受信したＩＰ電話１９は、リダイレクト応答の内容に基づき、相手ＩＰ電話１９のＩＰアドレスを指定する再度のＩｎｖｉｔｅメッセージを生成し、ステップＳ４１により、子局２の衛星ＧＷ装置２４へ送信する。衛星ＧＷ装置２４において、Ｉｎｖｉｔｅメッセージに記述されたＩＰアドレスを伝送制御部３０において検出し、ＳＩＰ処理部３１は識別情報記憶部３２へそのＩＰアドレスに対応する子局番号を検索する。検索により得られる子局番号に基づき、伝送制御部３０はその子局番号あての伝送データとして、Ｉｎｖｉｔｅメッセージを信号処理部２８へ出力するとともに、親局１への当該子局番号を有する子局を相手子局とする回線割当要求信号を出力する。回線割当要求信号は、第１の上りＣＳＣ回線３６ａにより、ステップＳ４２において送信される。親局１内ではステップＳ４３により回線割当要求信号を回線制御装置８に伝送し、回線制御装置８にて回線割り当てを行って回線割当応答信号を生成し、ステップＳ４４により親局衛星通信装置７へ出力する。親局衛星通信装置７は回線割当要求を送信した子局２と相手子局２へ、回線割当応答信号をステップＳ４５において送信する。この回線割当応答信号を受信した子局２と相手子局２は、通信回線変復調部２７を割り当てられた通信回線の回線情報に設定し、ステップＳ４６により子局間での通信衛星３を介した通信を開始する。
【００６６】
この子局間での通信開始ののち、子局２の信号処理部２８はステップＳ４１により受信したＩｎｖｉｔｅメッセージをフレーム処理等行って通信回線変復調部２７へ出力し、通信回線変復調部２７は設定された通信回線における変調処理を行い、送受信機２５からＩｎｖｉｔｅメッセージを、ステップＳ４７において、通信回線６により送信する。Ｉｎｖｉｔｅメッセージを通信回線６により受信した相手子局２においては、Ｉｎｖｉｔｅメッセージに記述される相手ＩＰ電話１９のＩＰアドレス又はＳＩＰ  ＵＲＩにより接続されたＩＰ電話１９を特定し、ＩｎｖｉｔｅメッセージをステップＳ４８により該当するＩＰ電話１９へ送信する。ステップＳ４８によりＩｎｖｉｔｅメッセージを受信した相手ＩＰ電話１９においては、呼び出し音が発せられ、また、応答コードの１００番台にあたるＲｉｎｇｉｎｇ暫定応答や、２００番台の成功応答が生成されて、発呼したＩＰ電話１９へ返信される。これらの応答メッセージやその後のＩＰ電話間の音声通話信号の伝送は、ステップＳ４６で設定された子局間の通信回線６により行われる。
【００６７】
なお、子局２の伝送制御部３０は、ステップＳ３９で受信した応答信号によって、近時に子局間でのＩＰ電話１９による音声通信が開始されることが判明するので、ＩＰ電話１９からのＩｎｖｉｔｅメッセージをステップＳ４１により受信する前に、相手子局を特定した回線割当要求信号を生成して親局１へ送信してもよい。
【００６８】
以上のように、最初に生起されたＩｎｖｉｔｅメッセージに伴ないインバイト制御信号を子局２にて生成し、第２のＣＳＣ回線により子局２から管理局３４へ送信することによって、親局１や管理局３４と子局２との間で通信回線６を割り当てることなく、或いは既に割り当てられている親局１や管理局３４と子局２との間での通信回線６の伝送量を増加させることなく、ＳＩＰプロトコルによるＩＰ電話のインバイトメッセージに対するＩＰアドレス解決やその応答処理を行うことができる。また、親局１が使用する第１のＣＳＣ回線３５での制御信号を増大させることなく、ＳＩＰプロトコルによるＩＰ電話のインバイトメッセージに対するＩＰアドレス解決やその応答処理を行うことができる。また、ＩＰ電話１９や他のネットワーク２２に接続された端末において、衛星通信向けの特殊な信号を生成して送信したり、受信信号に対する特殊な処理を行う必要がないので、衛星通信系である子局２とＩＰ電話１９等の地上ネットワークとの親和性を高めることができる。
【００６９】
また、管理局３４が上記のように自局が管理する子局グループ３３以外の他の子局グループ３３内の子局２に接続されたＩＰ電話１９の登録情報を登録している場合にも、同様の手順によって、Ｉｎｖｉｔｅメッセージに対するＩＰアドレス解決やその応答処理を行うことができ、複数の子局グループ上で、子局に接続されたＩＰ電話１９間での音声通信を可能とすることができる。
【図面の簡単な説明】
【００７０】
【図１】この発明の実施の形態１に係る衛星通信システムの構成を表す構成図である。
【図２】使用する回線の周波数軸上での配置を表す模式図である。
【図３】この発明の実施の形態１に係る子局及び親局の構成を表す構成図である。
【図４】ＩＰ電話の登録処理を表す処理シーケンス図である。
【図５】ＩＰ電話のドメイン名に関する登録要求信号の一例を示す模式図である。
【図６】ＩＰ電話の名称及びＩＰアドレスに関する登録要求信号の一例を示す模式図である。
【図７】ＩＰ電話が経由するプロキシサーバのＩＰアドレスに関する登録要求信号の一例を示す模式図である。
【図８】ＩＰ電話の省略名、ドメイン名、子局番号による登録リストを表すリスト表である。
【図９】あるドメイン名に属するＳＩＰ  ＵＲＩ（＠の前段部分）、ＩＰアドレス、有効期限、子局番号による登録リストを表すリスト表である。
【図１０】ドメイン名、子局番号、プロキシサーバのＩＰアドレスによる登録リストを表すリスト表である。
【図１１】Ｉｎｖｉｔｅメッセージに対する処理を表す処理シーケンス図である。
【図１２】この発明の実施の形態２に係る衛星通信システムの構成を表す構成図である。
【図１３】使用する回線の周波数軸上での配置を表す模式図である。
【図１４】この発明の実施の形態２に係る子局及び管理局の構成を表す構成図である。
【図１５】この発明の実施の形態２に係る親局の構成を表す構成図である。
【図１６】ＩＰ電話の登録処理を表す処理シーケンス図である。
【図１７】Ｉｎｖｉｔｅメッセージに対する処理を表す処理シーケンス図である。
【符号の説明】
【００７１】
１  親局
２  子局
３  通信衛星
４  上りＣＳＣ回線
５  下りＣＳＣ回線
６  通信回線
７  親局衛星通信装置
８  回線制御装置
９  ＳＩＰサーバ装置
１６  ロケーションサーバ
１７  リダイレクトサーバ
１９  ＩＰ電話
２３  衛星通信装置
２４  衛星ＧＷ装置
３３  子局グループ
３４  管理局
３５  第１のＣＳＣ回線
３６  第２のＣＳＣ回線
３７  管理局衛星通信装置
３８  管理装置
３９  管理部
４０  回線制御装置
【図１】
2008278435.tif 000003
【図２】
2008278435.tif 000004
【図３】
2008278435.tif 000005
【図４】
2008278435.tif 000006
【図５】
2008278435.tif 000007
【図６】
2008278435.tif 000008
【図７】
2008278435.tif 000009
【図８】
2008278435.tif 000010
【図９】
2008278435.tif 000011
【図１０】
2008278435.tif 000012
【図１１】
2008278435.tif 000013
【図１２】
2008278435.tif 000014
【図１３】
2008278435.tif 000015
【図１４】
2008278435.tif 000016
【図１５】
2008278435.tif 000017
【図１６】
2008278435.tif 000018
【図１７】
2008278435.tif 000019